(57)【要約】  運動装置、運動システム、及び運動方法が開示される。運動装置は、複数の重りと、シェル組立体と、基部組立体とを有する。シェル組立体は、重りを受け入れる大きさの内部を画定するシェルを有する。また、シェル組立体は、シェルに対して回転するように連結されたシャフトを有する。複数の重りがシェルの内部に受け入れられる時、シャフトのシェルに対する回転によって、シャフトを１つ以上の重りと選択的に連結させる。基部組立体は、重りを支持するように構成されている基部を有する。また、基部組立体は、シェル組立体が基部によって支持される時に、シャフトに連結されるように構成されているドライバを有する。基部組立体のドライバは、シャフトを１つ以上の重りと選択的に連結させるようにドライバがシャフトに連結されている時に、シャフトをシェルに対して回転させるように構成されている。【選択図】図１
2021509625.tif 000002
【特許請求の範囲】
【請求項１】
運動装置において、
前記運動装置は、
互いに隣接して配置されるように構成されている複数の重りと、
内部を画定するシェルを有するシェル組立体であって、前記シェル組立体は、また、前記シェルに対して移動するために連結されておりかつ前記シェルの内部の中を延びるシャフトを有し、前記シャフトの前記シェルに対する移動は、前記シャフトを前記複数の重りの内の１つ以上の重りと選択的に連結させる、シェル組立体と、
前記複数の重り及び前記シェル組立体を支持するように構成されている基部を有する基部組立体であって、前記基部組立体は、前記シェル組立体が前記基部によって支持されている時に、前記シェル組立体の前記シャフトに連結されるように構成されているドライバを有し、前記ドライバは、また、前記シェル組立体が前記基部によって支持されていない時に、前記シェル組立体の前記シャフトから切り離されるように構成されている、基部組立体とを備え、
前記基部組立体の前記ドライバは、前記シャフトを前記複数の重りの内の前記１つ以上の重りと選択的に連結させるように、前記ドライバが前記シェル組立体の前記シャフトに連結された時に、前記シェル組立体の前記シャフトを前記シェル組立体の前記シェルに対して移動させるように構成されている、運動装置。
【請求項２】
前記複数の重りのそれぞれは開口を有し、前記複数の重りの前記開口は、前記複数の重りが互いに隣接する時に１つの軸線に沿って延びるアパーチャを少なくとも部分的に画定し、、前記シェル組立体の前記シャフトは、前記複数の重りによって画定された前記アパーチャ内に位置決め可能である、請求項１に記載の運動装置。
【請求項３】
前記複数の重りのそれぞれは、１つ以上の係合面を有し、前記ドライバによる前記シャフトの前記シェルに対する移動によって、前記アパーチャの前記軸線に直交する方向に沿った前記複数の重りの１つ以上の重りの移動を制限又は阻止させるように、前記シャフトに前記複数の重りの１つ以上と選択的に係合させる、請求項２に記載の運動装置。
【請求項４】
前記ドライバはモータを備え、前記基部組立体は、前記運動装置の使用者からの入力に基づいて、前記シャフトを移動させるように前記モータを電気的に制御するコントローラをさらに備え、前記基部組立体は、前記運動装置の使用者からの入力に基づいて、前記ドライバに前記シャフトを回転させるように、前記ドライバに電気的又は機械的に連結された入力装置をさらに備える、請求項１に記載の運動装置。
【請求項５】
運動方法において、
前記運動方法は、
複数の重りが配置された基部組立体上にシェル組立体を位置決めするステップと、
シャフトを複数の重りの内の１つ以上の重りに選択的に連結させるように、前記シャフトに連結された基部組立体のドライバを用いて前記シェル組立体の前記シャフトをシェルに対して移動させるステップと、
前記シェル組立体の前記シャフトに連結した前記複数の重りの内の１つ以上の重りと共に、前記シェル組立体を前記基部組立体から持ち上げて外すステップとを備える、運動方法。
【請求項６】
前記複数の重りの各々は開口を有し、前記複数の重りの前記開口は、少なくとも部分的に、１つの軸線に沿って延びるアパーチャを画定し、
前記シェル組立体を位置決めするステップは、前記複数の重りによって画定される前記アパーチャ内に前記シェル組立体の前記シャフトを位置決めするステップを有する、請求項５に記載の運動方法。
【請求項７】
前記複数の重りの各々は、１つ以上の係合面を有し、
前記シェル組立体の前記シャフトを位置決めするステップは、前記複数の重りの内の１つ以上の重りを前記１つ以上の重りの前記アパーチャの軸線に直角な方向への移動を阻止するように、前記シャフトが前記複数の重りのそれぞれの重りの係合面に選択的に係合するように、前記シャフトを前記シェルに対して移動させるステップを有する、請求項６に記載の運動方法。
【請求項８】
運動システムにおいて、
前記運動システムは複数の運動装置を備え、
前記複数の運動装置は、各々が、
互いに隣接して配置されるように構成されている複数の重りと、
前記複数の重りに対して移動するように構成されているシャフトであって、前記複数の重りに対する前記シャフトの移動によって、前記シャフトを前記複数の重りの内の１つ以上の重りと選択的に連結させる、シャフトと、
前記複数の重りを支持するように構成されている基部と、前記シャフトに連結及び切り離されるように構成されているドライバとを有する基部組立体と、
前記複数の運動装置の内の別の１つの運動装置の通信装置と無線で通信するように構成されている通信装置とを備え、
前記複数の運動装置の内の１つの運動装置の前記ドライバが、前記複数の運動装置の内の別の１つの運動装置の前記通信装置から受信したデータに基づいて、前記複数の運動装置の内の１つの運動装置の前記シャフトを移動させるように構成されている、運動システム。
【請求項９】
前記ドライバはモータを備え、各基部組立体は、前記複数の運動装置の内の他の運動装置の通信装置から受信したデータに基づいて、前記シャフトを移動させるように前記モータを電気的に制御するコントローラをさらに備える、請求項８に記載の運動システム。
【請求項１０】
前記複数の運動装置の内の１つの運動装置の前記ドライバは、前記運動システムの使用者からの入力に基づいて、前記複数の運動装置の内の１つの運動装置の前記シャフトを移動させるようにさらに構成されており、かつ、前記使用者からの前記入力を、前記複数の運動装置の内の別の１つの運動装置の前記通信装置に送信するようにさらに構成されている、請求項８に記載の運動システム。
【請求項１１】
前記通信装置は、前記複数の運動装置の内の１つの運動装置の前記シャフトに連結された重りの数に対応するデータを、前記複数の運動装置の内の別の１つの運動装置に無線で通信するように構成されている、請求項８に記載の運動システム。
【請求項１２】
運動装置において、
前記運動装置は、
互いに隣接して配置されるように構成されている複数の重りと、
前記複数の重りの内の１つ以上の重りと係合するように構成されているシャフトと、
前記シャフトに連結されかつ前記シャフトから切り離されるように構成されているドライバを有する基部組立体と、
前記シャフト又は前記基部組立体に関連する入力装置であって、前記複数の重りの数に対応する選択からなる、前記運動装置の使用者からの入力を受信するように構成されている、入力装置とを備え、
前記基部組立体のドライバは、前記ドライバが前記シャフトに連結された時、及び、前記複数の重りの選択された数の重りに選択的にシャフトを係合させるための入力が前記入力装置によって受信された時に、前記複数の重りに対して前記シャフトを自動的に移動させるように構成されている、運動装置。
【請求項１３】
前記複数の重りの各々は開口を有し、前記複数の重りの前記開口は、前記複数の重りが互いに隣接する時に１つの軸線に沿って延びるアパーチャを少なくとも部分的に画定し、前記シャフトは、前記アパーチャ内に位置決め可能である、請求項１２に記載の運動装置。
【請求項１４】
前記複数の重りの各々は、１つ以上の係合面を有し、前記ドライバによる前記シャフトの移動によって、前記アパーチャの前記１つの軸線に直交する方向への前記複数の重りの内の１つ以上の重りの移動を阻止又は制限するように、前記複数の重りの選択された数の重りの前記係合面のそれぞれに選択的に係合させる、請求項１３に記載の運動装置。
【請求項１５】
前記シェル組立体は、前記運動装置の使用者が握ることができるように配置されたハンドル部分を更に備え、前記ハンドル部分は、前記シェル組立体の前記シェルに沿って設けられ、かつ、ハンドル軸線を画定し、前記複数の重りの各々は、前記ハンドル軸線に平行に向けられた重り軸線から半径方向外側に延びる、請求項１に記載の運動装置。
【請求項１６】
前記運動装置は、前記シェル組立体が前記基部組立体によって支持されている時に前記ドライバ及び前記シェル組立体の前記シャフトに連結されている駆動シャフトをさらに備え、前記駆動シャフトは、前記駆動シャフトが前記シェル組立体の前記シャフトに連結されている時に、前記シャフトを前記シェル組立体の前記シェルに対して回転させるように構成されている、請求項１に記載の運動装置。
【請求項１７】
前記駆動シャフトは、前記ドライバが前記シェル組立体の前記シャフトに連結されかつ前記シェル組立体が前記基部によって支持されている時に、前記シェル組立体の内部に延びるように配置されており、前記駆動シャフトは、前記シェル組立体の前記シャフトのシャフト軸線に対して直交する方向を向いている、請求項１６に記載の運動装置。
【請求項１８】
前記運動装置が、ダンベルとバーベルからなるグループから選択される、請求項１に記載の運動装置。
【請求項１９】
前記複数の重りが、前記シェル組立体の両側に配置されている複数のグループで配置され、前記シェル組立体が複数のシャフトを有し、前記複数のシャフトの各々が、前記シェルに対して移動するために連結されており、かつ、前記シェルの内部で延びており、前記シャフトの前記シェルに対する移動によって、前記複数のグループの重りの各々において、前記シャフトを１つ以上の重りと選択的に連結させ、前記シャフトの前記シェルに対する移動によって、前記複数のグループの重りの各々において、前記シャフトを等しい数の重りと選択的に連結させる、請求項１８に記載の運動装置。
【請求項２０】
前記シェル組立体が、ハンドルシャフト及び複数のシェルサブ組立体を有し、前記複数のシェルサブ組立体の各々が前記ハンドルシャフトの端部に連結されている、請求項１９に記載の運動装置。
【請求項２１】
前記複数のシェルサブ組立体の各々は、少なくとも部分的に内部領域を画定する、請求項２０に記載の運動装置。
【請求項２２】
前記運動装置は、各々が前記複数のシェルサブ組立体の各々の前記内部領域内に少なくとも部分的に配置された、複数の駆動シャフト組立体をさらに備え、前記複数の駆動シャフト組立体の各々は、前記複数のシャフトのそれぞれの１つと係合するように配置された駆動シャフト面を有する、請求項２１に記載の運動装置。
【請求項２３】
前記運動装置は複数のドライバをさらに備え、前記複数のドライバの各々が、前記シェル組立体が前記基部によって支持されている時に、前記シェル組立体の前記複数のシャフトの各々に連結されるように構成されており、前記複数の駆動シャフト組立体の各々が、前記複数のドライバのそれぞれの１つに取り外し可能に連結可能である、請求項２２に記載の運動装置。
【請求項２４】
前記複数のシャフトの各々は、ギアラックを有し、前記複数の駆動シャフト組立体の各々の前記駆動シャフト面は、前記複数のシャフトのそれぞれのシャフトの前記ギアラックに係合したギアを有する、請求項２２に記載の運動装置。
【請求項２５】
少なくとも２つの重りが、前記少なくとも２つの重りの１つの軸線に沿って互いに隣接して配置されて一対の重りを形成するように構成されており、前記一対の重りの第１の重りが雄面を有し、前記一対の重りの第２の重りが、前記第１の重りの前記雄面によって係合されるように構成されている雌面を有し、それによって、前記１つの軸線に沿って、前記一対の重りの前記第１の重りと前記第２の重りの互いに対する移動を制限又は排除する、請求項１に記載の運動装置。
【請求項２６】
前記一対の重りの前記第１の重り及び前記第２の重りは、それぞれ、前記シャフトを前記第１の重り及び前記第２の重りと選択的に連結させるように、前記シェル組立体の前記シャフトを受け入れるように、前記１つの軸線に沿って延びているアパーチャを画定しており、前記シャフトは、前記１つの軸線に直交する方向における互いに対する前記一対の重りの前記第１の重り及び前記第２の重りの移動を制限又は排除する、請求項２５に記載の運動装置。
【請求項２７】
前記シェル組立体が、前記シェル組立体の移動に対応するデータを記憶するように構成されているメモリを有する、請求項１に記載の運動装置。
【請求項２８】
前記基部組立体が、前記シェル組立体の移動に対応する前記データを受信するように構成されているメモリを有する、請求項２７に記載の運動装置。
【請求項２９】
前記基部組立体及び前記シェル組立体は、前記基部組立体が前記シェル組立体を支持している時に、前記シェル組立体の移動に対応するデータを共有するように構成されている、請求項２８に記載の運動装置。
【請求項３０】
前記基部組立体は、前記シェル組立体の移動に対応する前記データを遠隔装置に無線送信するように構成されている、請求項２８に記載の運動装置。
【請求項３１】
運動装置において、
前記運動装置は、
互いに隣接して配置されるように構成されている複数の重りと、
前記複数の重りを受け入れるような大きさの内部を画定するシェルを有するシェル組立体であって、前記シェル組立体は、また、前記シェルに対して回転するために連結されかつ前記シェルの内部に延びるシャフトを有し、前記複数の重りが前記シェルの内部に受け入れられた時、前記シャフトのシェルに対する回転によって、前記シャフトを前記複数の重りの１つ以上と選択的に連結させる、シェル組立体と、
前記複数の重り及び前記シェル組立体を支持するように構成されている基部組立体であって、前記基部組立体は、前記シェル組立体が基部によって支持されている時に、前記シェル組立体の前記シャフトに連結されるように構成されているドライバを有し、前記ドライバは、前記シェル組立体が前記基部によって支持されていない時に、前記シェル組立体の前記シャフトから切り離されるように構成されており、前記基部組立体の前記ドライバは、前記シャフトを複数の重りの内の１つ以上の重りと選択的に連結させるように前記ドライバが前記シェル組立体の前記シャフトに連結された時に、前記シェル組立体の前記シャフトを前記シェル組立体の前記シェルに対して回転させるように構成されている、基部組立体とを備える、運動装置。
【請求項３２】
前記基部は、前記複数の重りを積み重ねた向きで支持するように構成されている第１の表面と、前記シェル組立体の前記シェルの下面を支持するように構成されている、前記第１の表面を取り囲む第２の表面とを備える、請求項３１に記載の運動装置。
【請求項３３】
前記複数の重りのそれぞれは、開口を有し、前記複数の重りの前記開口は、前記複数の重りが互いに隣接する時に１つの軸線に沿って延びるアパーチャを少なくとも部分的に画定する、請求項３１に記載の運動装置。
【請求項３４】
前記シェル組立体の前記シャフトは、前記複数の重りによって画定される前記アパーチャ内に位置決め可能である、請求項３３に記載の運動装置。
【請求項３５】
前記複数の重りのそれぞれは、それぞれの開口内に延びる１つ以上のレッジを有する、請求項３４に記載の運動装置。
【請求項３６】
前記シャフトは、複数の突出部を有し、前記ドライバによる前記シャフトの前記シェルに対する回転により、前記複数の重りの内の１つ以上の重りの前記アパーチャの前記軸線に沿った移動を防止するように、前記シャフトの前記複数の突出部の内の１つ以上の突出部を、前記複数の重りの内の１つ以上の重りの１つ以上のレッジのそれぞれに選択的に係合する、請求項３５に記載の運動装置。
【請求項３７】
前記シェル組立体が、前記シェルに連結されかつ前記運動装置の使用者に握られるように配置されたハンドルを更に備え、前記ハンドルが前記シャフトに対して直交する方向を向いている、請求項３１に記載の運動装置。
【請求項３８】
前記ドライバはモータを備え、前記基部組立体は、前記運動装置の使用者からの入力に基づいて、前記シャフトを回転させるように前記モータを電気的に制御してコントローラをさらに備える、請求項３１に記載の運動装置。
【請求項３９】
前記基部組立体が、前記運動装置の使用者からの入力に基づいて、前記ドライバに前記シャフトを回転させるように前記ドライバに電気的又は機械的に連結されている入力装置をさらに備える、請求項３１に記載の運動装置。
【請求項４０】
前記基部組立体のドライバから前記シェル組立体の前記シャフトを切り離すことにより、前記シェルに対する前記シャフトの回転を防止し、それにより、前記複数の重りの内の１つ以上の重りが前記運動装置の前記シャフトから切り離されるのを防止する、請求項３１に記載の運動装置。
【請求項４１】
運動方法において、
前記運動方法は、
複数の重りがシェル組立体のシェルの内部に受け入れられるように、その上に位置決めされた前記複数の重りを有する基部組立体上にシェル組立体を位置決めするステップと、
シャフトに連結された基部組立体のドライバを用いて前記シェルに対して前記シェル組立体のシャフトを回転させてシャフトを複数の重りの内の１つ以上の重りと選択的に連結させるステップと、
前記シェル組立体の前記シャフトに連結された複数の重りの内の１つ以上の重りと、前記シェルの内部の前記複数の重りの内の１つ以上の重りと共に、前記シェル組立体を前記基部組立体から持ち上げて外すステップとを備える、運動方法。
【請求項４２】
前記複数の重りの各々は開口を有し、前記複数の重りの前記開口は、前記複数の重りが積み重ねられた向きにある時に１つの軸線に沿って延びるアパーチャを少なくとも部分的に画定し、前記シェル組立体を位置決めするステップは、前記複数の重りによって画定される前記アパーチャ内に前記シェル組立体の前記シャフトを位置決めするステップを有する、請求項４１に記載の運動方法。
【請求項４３】
前記複数の重りの各々が、そのそれぞれの開口に延びる１つ以上のレッジを有し、前記シャフトが複数の突出部を有し、
前記回転させるステップが、前記アパーチャの前記軸線に沿った複数の重りの１つ以上の重りの移動を防止するように、前記シャフトの前記複数の突出部の１つ以上の突出部を、前記複数の重りの１つ以上の重りの１以上のレッジのそれぞれのレッジと選択的に連結させるように、前記シャフトを前記シェルに対して回転させるステップを有する、請求項４２に記載の運動方法。
【請求項４４】
前記シェル組立体が、前記シェルに連結されたハンドルをさらに備え、前記シェル組立体を前記基部組立体から持ち上げて外すステップが、前記シェル組立体の前記ハンドルを握るステップを有する、請求項４１に記載の運動方法。
【請求項４５】
前記ドライバはモータを備え、前記基部組立体は、前記モータを電気的に制御するコントローラをさらに備え、前記シェルに対して前記シェル組立体のシャフトを回転させるステップは、前記シャフトを回転させるように前記モータを制御するように入力を前記コントローラに提供するステップを備える、請求項４１に記載の運動方法。
【請求項４６】
前記基部組立体が、前記ドライバに電気的又は機械的に連結された入力装置をさらに備え、前記シェルに対して前記シェル組立体のシャフトを回転させるステップは、前記入力装置を用いて入力を受信するステップと、受信した前記入力に基づいて前記ドライバに前記シャフトを回転させるステップとを有する、請求項４１に記載の運動方法。
【請求項４７】
前記運動方法は、前記シェル組立体が前記基部組立体から持ち上げられて外された時に、前記複数の重りの内の１つ以上の重りが運動装置の前記シャフトから切り離されるのを防止するステップをさらに備える、請求項４１に記載の運動方法。
【請求項４８】
運動システムにおいて、
前記運動システムは複数の運動装置を備え、
前記複数の運動装置の各々は、
互いに隣接して配置されるように構成されている複数の重りと、
前記複数の重りに対して回転するように構成されているシャフトであって、前記複数の重りに対する前記シャフトの回転によって、前記シャフトを前記複数の重りの内の１つ以上の重りと選択的に連結させる、シャフトと、
前記複数の重りを支持するように構成されている基部を有する基部組立体と、
前記シャフトに連結されかつ前記シャフトから切り離されるように構成されているドライバと、
前記複数の運動装置の内の別の１つの運動装置の通信装置と無線で通信するように構成されている通信装置とを有し、前記複数の運動装置の内の１つの運動装置の前記ドライバは、前記複数の運動装置の内の別の１つの運動装置の通信装置から受信したデータに基づいて、前記複数の運動装置の内の１つの運動装置の前記シャフトを回転させるように構成されている、運動システム。
【請求項４９】
前記ドライバはモータを備え、各基部組立体は、前記複数の運動装置の内の他方の通信装置から受信したデータに基づいて、前記シャフトを回転させるように前記モータを電気的に制御するコントローラをさらに備える、請求項４８に記載の運動システム。
【請求項５０】
前記複数の運動装置の内の前記１つの運動装置の前記ドライバは、前記運動システムの使用者からの入力に基づいて、前記複数の運動装置の内の前記１つの運動装置の前記シャフトを回転させるようにさらに構成されており、かつ、前記複数の運動装置の内の別の１つの運動装置の通信装置に、前記使用者からの前記入力を送信するようにさらに構成されている、請求項４８に記載の運動システム。
【請求項５１】
前記通信装置は、前記複数の運動装置の内の１つの運動装置の前記シャフトに連結された前記重りの数を、前記複数の運動装置の内の別の１つの運動装置に無線で通信するように構成されている、請求項４８に記載の運動システム。
【請求項５２】
運動装置において、
前記運動装置は、
互いに隣接して配置されるように構成されている複数の重りと、
前記複数の重りの内の１つ以上の重りと係合するように構成されているシャフトと、
前記シャフトに連結されかつ前記シャフトから切り離されるように構成されているドライバを有する基部組立体と、
前記シャフト又は前記基部組立体に関連する入力装置であって、前記複数の重りの数の選択からなる、前記運動装置の使用者からの入力を受信するように構成された入力装置とを備え、
前記基部組立体のドライバは、前記ドライバが前記シャフトに連結された時、及び、前記複数の重りの選択された数の重りに選択的に前記シャフトを係合させるための入力が前記入力装置によって受信された時に、前記複数の重りに対して前記シャフトを自動的に移動させるように構成されている、運動装置。
【請求項５３】
前記基部組立体が、積み重ねられた向きで前記複数の重りを支持するように構成されている基部をさらに備える、請求項５２に記載の運動装置。
【請求項５４】
前記複数の重りの各々は開口を有し、前記複数の重りの前記開口は、前記複数の重りが互いに隣接する時に１つの軸線に沿って延びるアパーチャを少なくとも部分的に画定し、前記シャフトは前記アパーチャ内に位置決め可能である、請求項５２に記載の運動装置。
【請求項５５】
前記複数の重りの各々は、それぞれの開口内に延びる１つ以上のレッジを有する、請求項５４に記載の運動装置。
【請求項５６】
前記シャフトは、複数の突出部を有し、前記ドライバによる前記シャフトの移動により、前記複数の重りの内の前記１つ以上の重りが前記アパーチャの前記軸線に沿って移動するのを防止するように、前記シャフトの前記複数の突出部の内の１つ以上の突出部が、前記複数の重りの選択された数の重りの前記１つ以上のレッジのそれぞれのレッジに選択的に係合する、請求項５５に記載の運動装置。
【請求項５７】
前記シャフトは、前記シャフトに対して直交する方向を向いたハンドルに連結されている、請求項５２に記載の運動装置。
【請求項５８】
前記ドライバはモータを備え、前記基部組立体は、前記運動装置の使用者からの前記入力に基づいて、前記シャフトを回転させるように前記モータを電気的に制御するコントローラをさらに備える、請求項５２に記載の運動装置。
【請求項５９】
前記運動装置は、前記複数の重りの前記選択された数を表示するように構成されているディスプレイをさらに備える、請求項５２に記載の運動装置。
【請求項６０】
前記運動装置は、基部又は前記シャフトに関連するセンサをさらに備え、前記センサは、前記ドライバが前記シャフトに連結されている時、又は、前記ドライバが前記シャフトから切り離されている時を検出するように構成されている、請求項５２に記載の運動装置。
【発明の詳細な説明】
【技術分野】
【０００１】
関連出願の相互参照
本出願は、２０１８年２月２日に出願された米国特許出願第１５／８８７，２７８号、及び２０１８年１０月１５日に出願された米国特許出願第１６／１６０，３９９号の利益を主張し、これらの両方とも参照によりその全体が本明細書に組み込まれる。
【０００２】
本発明は、一般に、ウェイトトレーニング運動に関し、より詳細には、調節可能なウェイトトレーニングの装置、システム、及び、方法に関する。
【背景技術】
【０００３】
従来、ウェイトトレーニングの運動は、ダンベル、ケトルベル等のフリーウェイト装置で行うことができる。これらのフリーウェイト装置は、固定重量であるか、あるいは、使用者が重りを手で追加又は除去してフリーウェイト装置の重量を調節できるものである。
【０００４】
フリーウェイト装置で重量を調節すると、使用者の所望のトレーニング活動で実質的に休止又は中断することとなり、ウェイトトレーニングを妨げる可能性がある。従って、運動機器の重量を調節するための改良された装置、システム、及び、方法が望まれる。
【発明の概要】
【０００５】
本発明のいくつかの態様は、運動装置、運動システム、及び運動方法に関する。
【０００６】
本発明の一態様によれば、運動装置は、複数の重りと、シェル組立体と、基部組立体とを有する。複数の重りは、互いに隣接して配置されるように構成されている。シェル組立体は、重りを受け入れる寸法決めされた内部を画定するシェルを有する。また、シェル組立体は、シェルに対して回転するように連結されかつシェルの内部に延びるシャフトを有する。重りがシェルの内部に受け入れられる時、シャフトのシェルに対する回転により、シャフトを複数の重りの内の１つ以上の重りと選択的に連結させる。基部組立体は、重り及びシェル組立体を支持するように構成されている基部を有する。また、基部組立体は、シェル組立体が基部によって支持されている時に、シェル組立体のシャフトに連結されるように構成されているドライバを有する。また、ドライバは、シェル組立体が基部によって支持されていない時に、シェル組立体のシャフトから切り離されるように構成されている。基部組立体のドライバは、シャフトを複数の重りの内の１つ以上の重りと選択的に連結させるようにドライバがシェル組立体のシャフトに連結された時に、シェル組立体のシャフトをシェル組立体のシェルに対して回転させるように構成されている。
【０００７】
本発明の別の態様によれば、運動方法は、重りがシェル組立体のシェルの内部に受け入れられるように、その上に位置決めされた複数の重りを有する基部組立体上にシェル組立体を位置決めするステップと、シャフトを複数の重りの内の１つ以上の重りと選択的に連結させるように、シャフトに連結された基部組立体のドライバを用いてシェル組立体のシャフトをシェルに対して回転させ、ステップと、シェル組立体のシャフトと連結された複数の重りの内の１つ以上の重りを用いて、シェル組立体をシェルの内部にある重りの内の１つ以上の重りと共に、シェル組立体を基部組立体から持ち上げて外すステップと、を有する。
【０００８】
本発明のさらに別の態様によれば、運動システムは、複数の運動装置を有する。各運動装置は、互いに隣接して位置決めされるように構成されている複数の重りと、重りに対して回転するように構成されているシャフトであって、シャフトの重りに対する回転でシャフトを複数の重りの内の１つ以上の重りと選択的に連結させる、シャフトと、複数の重りを支持するように構成されている基部と、シャフトに連結されてかつシャフトから切り離されるように構成されているドライバとを有する基部組立体と、運動装置の内の別の１つの運動装置の通信装置と無線で通信するように構成されている通信装置とを有する。複数の運動装置の内の１つの運動装置のドライバは、複数の運動装置の内の別の１つの運動装置の通信装置から受信したデータに基づいて、複数の運動装置の内の１つの運動装置のシャフトを回転させるように構成されている。
【０００９】
本発明のさらに別の態様によれば、運動装置は、複数の重りと、シャフトと、基部組立体と、入力装置とを有する。複数の重りは、互いに隣接して配置されるように構成されている。シャフトは、１つ以上の重りと係合するように構成されている。基部組立体は、シャフトに連結されかつシャフトから切り離されるように構成されているドライバを有する。入力装置は、シャフト又は基部組立体に関連付けられている。入力装置は、運動装置の使用者からの入力を受信するように構成されている。この入力は、重りの数の選択を含む。基部組立体のドライバは、ドライバがシャフトに連結された時、及び、シャフトを選択された重りの数と選択的に係合させるように入力が入力装置によって受信された時に、、シャフトを重りに対して自動的に移動させるように構成されている。
【００１０】
本発明のさらに別の態様によれば、運動装置は、互いに隣接して配置されるように構成されている複数の重りを有する。シェル組立体は、内部を画定するシェルを有し、該シェル組立体は、また、該シェルに対して移動するために連結されかつ該シェルの内部で延びるシャフトを有し、シャフトの該シェルに対する移動により、該シャフトを該複数の重りの内の１つ以上の重りと選択的に連結させる。基部組立体は、複数の重り及びシェル組立体を支持するように構成されている基部を有する。また、基部組立体は、シェル組立体が基部によって支持されている時に、シェル組立体のシャフトに連結されるように構成されているドライバを有する。また、ドライバは、シェル組立体が基部によって支持されていない時に、シェル組立体のシャフトから切り離されるように構成されている。基部組立体のドライバは、シャフトを複数の重りの内の１つ以上の重りと選択的に連結させるように、ドライバがシェル組立体のシャフトに連結された時に、シェル組立体のシャフトをシェル組立体のシェルに対して移動させるように構成されている。
【００１１】
本発明のさらに別の態様によれば、運動方法は、複数の重りがその上に位置決めされた基部組立体上にシェル組立体を位置決めするステップと、シャフトを複数の重りの内の１つ以上の重りと選択的に連結させるように、シャフトに連結された基部組立体のドライバを用いてシェル組立体のシャフトをシェルに対して移動させるステップと、シェル組立体のシャフトと連結された複数の重りの内の１つ以上の重りと共に、シェル組立体を基部組立体から持ち上げて外すステップと、を有する。
【００１２】
本発明は、添付の図面に関連して読まれる時に以下の詳細な説明から最もよく理解される。複数の類似要素が存在する場合に、単一の参照番号が、特定の要素を示す小文字の名称と共に複数の類似要素に付すことができる。複数の類似要素を集合的に参照する時、又は、複数の類似要素の内の非特定的な１つ以上を参照する時、小文字の名称は、省略しうる。慣行により、図面の種々の特徴は必ずしも縮尺通りではないことが強調される。反対に、様々な特徴の寸法は、明瞭化のために任意に拡大又は縮小されうる。図面には次の図が含まれる。
【図面の簡単な説明】
【００１３】
【図１Ａ−１Ｃ】図１Ａ〜１Ｃは、本発明の態様による例示的な運動装置を示す図である。
【図２Ａ−２Ｂ】図２Ａ〜２Ｂは、図１Ａ〜１Ｃの運動装置の分解図である。
【図３Ａ−３Ｂ】図３Ａ〜３Ｂは、図１Ａ〜１Ｃの運動装置の運動装置の例示的な基部組立体を示す図である。
【図４Ａ−４Ｃ】図４Ａ〜４Ｃは、図１Ａ〜１Ｃの運動装置の例示的なシェルを示す。
【図５Ａ−５Ｂ】図５Ａ〜５Ｂは、図１Ａ〜１Ｃの運動装置の例示的なシャフトを示す。
【図６Ａ−６Ｂ】図６Ａ〜６Ｂは、図１Ａ〜１Ｃの運動装置の例示的な重りを示す。
【図７Ａ−７Ｂ】図７Ａ〜７Ｂは、図１Ａ〜１Ｃの運動装置の例示的な重りを示す。
【図８Ａ−８Ｂ】図８Ａ〜８Ｂは、図１Ａ〜１Ｃの運動装置の例示的な重りを示す。
【図９Ａ−９Ｂ】図９Ａ〜９Ｂは、図１Ａ〜１Ｃの運動装置の例示的な重りを示す。
【図１０Ａ−１０Ｂ】図１０Ａ〜１０Ｂは、図１Ａ〜１Ｃの運動装置の例示的な重りを示す。
【図１１】図１１は、本発明の態様による例示的な運動方法を示す。
【図１２】図１２は、本発明の態様による例示的な運動システムを示す。
【図１３】図１３は、本発明の態様による別の例示的な運動システムを示す。
【図１４Ａ−１４Ｅ】図１４Ａ〜１４Ｅは、それぞれ、本発明の態様による別の例示的な運動装置の等角図、正面図、平面図、底面図、及び左側面図であり、伸縮自在シャフトは伸長位置にある様子を示している。
【図１４Ｆ】図１４Ｆは、線１４Ｆ−１４Ｆに沿った図１４Ｂの装置の側断面図を示す。
【図１４Ｇ】図１４Ｇは、線１４Ｇ−１４Ｇに沿った図１４Ｅの装置の側断面図を示す。
【図１５Ａ−１５Ｂ】図１５Ａ〜１５Ｂは、図１４Ａ−１４Ｂの装置の分解図である。
【図１６Ａ−１６Ｇ】図１６Ａ〜１６Ｇは、それぞれ、図１４Ａ−１４Ｇの装置の重りの等角図、正面図、背面図、左側面図、右側面図、平面図、底面図を示している。
【図１７】図１７は、互いに嵌合された２つの重りの側断面図を示す。
【図１８Ａ】図１８Ａは、伸縮自在シャフトが収縮位置で示されている様子を示す図１４Ａ〜１４Ｅの例示的な運動装置の追加の図であって、具体的には、図１４Ａ〜１４Ｅの例示的な運動装置の別の正面図である。
【図１８Ｂ】図１８Ｂは、伸縮自在シャフトが収縮位置で示されている様子を示す図１４Ａ〜１４Ｅの例示的な運動装置の追加の図であって、図１８Ａの例示的な運動装置の上面平面図である。
【図１８Ｃ】図１８Ｃは、伸縮自在シャフトが収縮位置で示されている様子を示す図１４Ａ〜１４Ｅの例示的な運動装置の追加の図であって、線１８Ｃ−１８Ｃに沿った図１８Ａの装置の側断面図を示す。
【図１８Ｄ】図１８Ｄは、伸縮自在シャフトが収縮位置で示されている様子を示す図１４Ａ〜１４Ｅの例示的な運動装置の追加の図であって、線１８Ｄ−１８Ｄに沿った図１８Ａの装置の側断面図を示す。
【図１８Ｅ】図１８Ｅは、伸縮自在シャフトが収縮位置で示されている様子を示す図１４Ａ〜１４Ｅの例示的な運動装置の追加の図であって、線１８Ｅ−１８Ｅに沿った図１８Ａの装置の側断面図を示す。
【図１８Ｆ】図１８Ｆは、伸縮自在シャフトが収縮位置で示されている様子を示す図１４Ａ〜１４Ｅの例示的な運動装置の追加の図であって、線１８Ｆ−１８Ｆに沿った図１８Ｂの装置の側断面図を示す。
【発明を実施するための形態】
【００１４】
本発明は、特定の実施形態を参照して図示して本明細書に説明するが、本発明は、図示した詳細に限定されることを意図していない。むしろ、請求項の範囲及び均等物の範囲内で、本発明から逸脱することなく、詳細において様々な修正を行うことができる。
【００１５】
本明細書において開示される、例示的な運動システム、運動方法及び運動装置は、主に、ケトルベル及びダンベルに関して記載される。しかしながら、本発明はケトルベル及びダンベルに限定されないことは当業者には理解されるであろう。反対に、開示された概念、特徴、及び実施形態は、例えば、バーベル、メディシン・ボール、又は、他のフリーウェイト及び重りシステムを含む、本発明の精神又は範囲から逸脱することなく、任意の種類の重り装置で使用可能であり得る。
【００１６】
本明細書に開示される例示的なシステム、装置、及び、方法は、１回又は一連のウェイトトレーニング運動の一部として、個々の使用者が使用できる。そのような使用において、開示された実施形態では、個々の使用者が、ウェイトトレーニング運動のための所望の重量を選択すること、及び／又は、ウェイトトレーニング運動の前、中、又は後に、運動装置の重量を調節することができる。
【００１７】
さらに、本明細書に開示される例示的なシステム、装置、及び、方法は、調整されたウェイトトレーニング運動の一部として、使用者のグループによって使用できる。この使用者のグループは、単一の場所に同一位置に配置されてもよく、あるいは仮想グループ内の技術によって遠隔に配置され、接続されうる。そのような使用では、使用者が同一位置にあるか、仮想グループ内にあるかにかかわらず、開示された実施形態は、グループ内の個々の使用者が、ウェイトトレーニング運動のための所望の重量を選択することができ、グループ内の他の個人の運動システム又は装置に、その所望の重量を自動的に通信することができる。所望の重量は、さらに、グループ内の１人以上の個人の運動システム又は装置において自動的に選択されうる。
【００１８】
あるいは、本明細書に開示される例示的なシステム、装置、及び方法は、他のシステム又は装置に接続することなく、個々の使用者単独で使用可能としうる。したがって、このシステム、装置、及び方法の使用は、拡張可能である。
【００１９】
次に、図面を参照すると、図１Ａ〜１Ｃ、２Ａ及び２Ｂは、本発明の態様による例示的な運動装置又は器具１００を示す。運動装置１００は、例えばケトルベルの形態で設けられていてもよい。一般に、装置１００は、基部組立体１１０と、シェル組立体１４０と、複数の重り１７０とを有する。装置１００のさらなる詳細を後述する。
【００２０】
基部組立体１１０は、装置１００の構成要素に対する支持を提供する。基部組立体１１０は、装置１００のある構成要素を収容するハウジング１１２を有する。ハウジング１１２は、装置１００の他の構成要素が当接しうる１つ以上の外面を有しうる。
【００２１】
図２Ａ、２Ｂ、３Ａ及び３Ｂに示すように、基部組立体１１０のハウジング１１２は、その上部に第１の表面１１４及び第２の表面１１６を有しうる。表面１１４及び１１６は、シェル組立体１４０及び重り１７０を支持するように構成されている基部を形成する。特に、第１の表面１１４は、例えば積み重ねられた向きで複数の重り１７０を支持するように構成されてもよく、第２の表面１１６は、例えば、その下面でシェル組立体１４０を支持するように構成されうる。この例では、第２の表面１１６は第１の表面１１４を取り囲んでいる。第２の表面１１６は、第１の表面１１４と同じレベルで形成されてもよく、又は、第１の表面１１４のレベルより上又は下のレベルで提供されうる。
【００２２】
基部組立体１１０は、１つ以上のガイド壁１１８及びガイド突出部１１９をさらに有しうる。ガイド壁１１８は、装置１００の使用者がシェル組立体１４０を基部組立体１１０上に位置合わせするのを補助するように表面１１６から上方に延びる。ガイド突出部１１９は、装置１００の使用者が重り１７０を基部組立体１１０上に位置合わせするのを補助するように表面１１４から上方に延びる。
【００２３】
基部組立体１１０は、ドライバ１２０を収容する。ドライバ１２０は、以下により詳細に説明するように、シェル組立体１４０のシャフト１５０に連結されかつ切り離されるように構成されている。ドライバ１２０は、さらに、シェル組立体１４０のシャフト１５０を移動させるように、例えば、回転させるように構成されている。例示的な実施形態では、ドライバ１２０は、ブラシレス電気モータなどのモータを備える。ドライバ１２０として使用するのに適したモータは、本明細書における説明から分かるであろう。
【００２４】
基部組立体１１０は、コントローラ１２２をさらに備えうる。コントローラ１２２は、シャフト１５０がドライバ１２０に連結されている時、シャフト１５０を操作するように、例えば、回転させるように、ドライバ１２０を電気的に制御する。より詳細に後述するように、コントローラ１２２は、自動的に、又は、何らかの入力に応答して、例えば運動装置１００の使用者からの入力又は別の運動装置１００からの送信に応答して、ドライバ１２０を作動させることができる。
【００２５】
コントローラ１２２は、センサ１２３と通信していてもよい。センサ１２３は、ドライバ１２０がシェル組立体１４０のシャフト１５０に連結されているか又は切り離されているかを検出するように構成されている。したがって、コントローラ１２２は、ドライバ１２０がシャフト１５０に連結されていること、又は、表面１１４及び／又は１１６などの基部組立体１１０の１つ以上の表面がシェル組立体１４０及び／又は重り１７０を支持する又はこれらに隣接していることをセンサ１２３が示す時のみ、ドライバ１２０を動作させることができる。センサ１２３として使用するのに適したセンサには、例えば、光学センサ、圧力センサ、又は電気センサが挙げられる。
【００２６】
基部組立体１１０は、入力装置１２４をさらに備えうる。入力装置１２４は、運動装置１００の使用者からの入力を受信する。入力装置１２４は、運動装置１００の使用者による入力に基づいてドライバ１２０にシャフト１５０を回転させるように、ドライバ１２０に電気的及び／又は機械的に連結されている。上記入力は、ウェイトトレーニング運動の種類、重量、又は、重り１７０の数の選択を含みうる。次に、コントローラ１２２は、入力装置１２４によって受信された、ウェイトトレーニング運動の種類、重量、又は、重り１７０の数に基づいてドライバ１２０を制御することができる。
【００２７】
入力装置１２４の形態は限定されるものではない。入力装置１２４は、運動装置１００の使用者によって直接操作又は移動させられるように適合された、機械的入力部、例えば、ノブ、ダイヤル、ボタン、スライダ、又は他の構造を受け入れるように構成されうる。入力装置１２４は、使用者の相互作用に応じて機械的信号を生成するように構成されている、電気的又は電子的入力、例えば、キー、タッチスクリーン、又、はタッチパッド、又は他の構造を受信するように構成されうる。入力装置１２４として使用するのに適した他の構造は、本明細書の説明から分かるであろう。
【００２８】
入力装置１２４と共に、基部組立体１１０は、ディスプレイ１２６をさらに備えうる。ディスプレイ１２６は、使用者が入力装置１２４に提供する入力、例えば、選択された運動、重量、又は、重り１７０の選択された数を表示するように構成されている。ディスプレイ１２６として使用するのに適したディスプレイには、例えば、液晶ディスプレイ又は発光ダイオードディスプレイが挙げられる。他のディスプレイは、本明細書における説明から分かるであろう。
【００２９】
基部組立体１１０は、通信装置１２８をさらに備えうる。通信装置１２８は、以下により詳細に説明するように、別の運動装置１００、及び／又は、他の無線トランシーバと無線で通信するように構成することができる。通信装置１２８を介して受信されたデータは、以下により詳細に説明するように、ドライバ１２０の動作を制御するために使用されうる。
【００３０】
入力装置１２４及びディスプレイ１２６は、基部組立体１１０に関連するもの及び／又は基部組立体１１０に収容されるものとして説明されるが、本発明は、それに限定されないことが理解されるであろう。例えば、センサ１２３、入力装置１２４、及び／又は、ディスプレイ１２６は、シェル組立体１４０上に設けることができる。一実施形態では、センサ１２３、入力装置１２４、及び、ディスプレイ１２６は、シェル１４２の外面に設けられる。この実施形態では、センサ１２３及び／又は入力装置１２４は、無線通信によって、又は、シェル組立体１４０が基部組立体１１０上に配置された時に作成される有線通信インターフェイスによって、基部組立体１１０内のドライバ１２０に使用者入力を通信することができる。センサ１２３がシェル１４２の外面に設けられている場合、外部環境からセンサ１２３を保護するために、センサ１２３にセンサカバー１２９を設けることができる。
【００３１】
あるいは、装置１００は、ディスプレイ１２６を有していなくてもよい。このような実施形態では、ディスプレイ１２６によって提示されるべき情報は、装置１００と有線又は無線で通信している遠隔装置（例えば、使用者のスマートフォン又はタブレットディスプレイ又はモニタ上）に提示されうる。
【００３２】
電源１３０（再充電可能バッテリなど）は、装置１００の電気部品に電力を供給するために、基部組立体１１０又はシェル組立体１４０内に設けることができる。あるいは、装置１００には、基部組立体１１０上に形成された１つ以上の電力端子／通信端子１３２を介して、又はポート又はケーブル接続を介して電力が供給されうる。装置１００は、主に端子１３２を介して給電されるように構成されてもよく、又は、例えば、電源１３０が再充電可能バッテリである時に、電源を再充電するために端子１３２を介した電力接続を使用しうる。その他の電源も任意に選択できる。
【００３３】
シェル組立体１４０は、装置１００の使用者によって握られて持ち上げられる。図１Ａ〜図１Ｃに示すように、シェル組立体１４０はケトルベルの形状を有していてもよい。しかしながら、シェル組立体１４０の形状は限定されず、シェル組立体１４０は、任意の種類のフリーウェイト装置として構成されうることが理解されよう。
【００３４】
図２Ａ、２Ｂ及び４Ａ〜４Ｃに示すように、シェル組立体１４０は、シェル１４２を有する。シェル１４２は、重り１７０を受け入れるような寸法である内部空間部１４４を画定する。シェル１４２及び内部空間部１４４は、重り１７０の形状及び寸法に対応するように選択された形状及び寸法を有する。例えば、シェル１４２及び内部空間部１４４は、図２Ａに示すように、ほぼ円形の断面を有し、又は、円形の断面を有しないシェル又は支持体の形状に適合する任意の他の形状を有しうる。シェル１４２の内部空間部１４４は、１つ以上の隆起部１４６をさらに有しうる。隆起部１４６は、空間部１４４内の重り１７０を整列させるために使用し、空間部１４４内の重り１７０の回転を防止するために使用しうる。
【００３５】
シェル組立体１４０は、シャフト１５０をさらに有する。シャフト１５０は、シェル１４２の内部空間部１４４内に延びる。シャフト１５０は、シェル１４２などのシェル組立体の他の構成要素に対する回転のために連結されうる。以下により詳細に説明するように、重り１７０が内部空間部１４４内に受け入れられた時のシャフト１５０の回転は、シャフト１５０を１つ以上の重り１７０と連結することができる。
【００３６】
シャフト１５０は、シェル組立体１４０が基部組立体１１０上に支持される時に、ドライバ１２０に連結されるように構成されている。また、シャフト１５０は、例えば、使用者がウェイトトレーニング運動中にシェル組立体１４０を基部組立体１１０から持ち上げて外す時などの、シェル組立体１４０が基部組立体１１０から取り外される時に、ドライバ１２０から切り離されるように構成されている。シャフト１５０は、以下により詳細に説明するように、重り１７０上の対応する構造と係合するための突出部１５２を有する。
【００３７】
シャフト１５０の上端において、シェル組立体１４０は、シェル１４２に対するシャフト１５０の回転を可能にするために、１つ以上のベアリング１５３をさらに有しうる。ベアリング１５３は、上側の固定プレート１５４によってシェル組立体１５０に連結され、図２Ｂに示すように、固定位置プレートによってシャフト１５０に連結される。シャフト１５０の下端では、シャフト１５０は、図２Ｂに示すように、連結ロッド１５６と、バネを有する固定ブロック１５７とを有するリンク機構によって、ドライバ１２０に連結されるように構成されている。
【００３８】
シェル組立体１４０は、さらに、ウェイトトレーニング運動中に使用者に握られるように位置決めされたハンドル１６０を備えうる。図２Ａ、２Ｂ及び４Ａ〜４Ｃに示すように、ハンドル１６０は、シェル１４２の外側に連結されている。ハンドル１６０は、シェル組立体１４０の頂点において、シャフト１５０とシェル１４２の連結部に対向するシェル１４２の位置に設けられている。ハンドル１６０は、シャフト１５０に対して直交して配向されている。しかしながら、運動装置１００で実施されることが望まれるウェイトトレーニングの種類に基づいて、ハンドル１６０は、シャフト１５０に対して、異なる向き又は調節可能な向き、例えば、平行又は斜めの向きを有しうることが理解されるであろう。
【００３９】
重り１７０は、ウェイトトレーニング運動の性能が調節可能となるように、シェル組立体１４０に選択的に連結される。図２Ａ及び２Ｂに示すように、重り１７０は、例えば積み重ねられた向きで互いに隣接して配置されるように構成されている。この向きで、全ての重り１７０は、シェル１４２の内部空間部１４４に嵌合することができる。したがって、シェル１４２は、重り１７０より上に位置決めすることができ、シェル１４２の下縁１４８は、基部組立体１１０の表面１１６上に当接することができる。
【００４０】
図６Ａ〜１０Ｂに示すように、装置１００は、５つの重り１７０ａ、１７０ｂ、１７０ｃ、１７０ｄ、１７０ｅを有しうる。しかしながら、図面に示されている重りの数は、図示を目的として提供されたものであって、限定的なものではないことが理解されるであろう。運動装置１００の所望の量、程度、又は、調節可能性のレベルに基づいて、任意の数の重りを設けることができる。非限定的な例では、２、３、４、５、６、７、８つ以上の重り１７０を装置１００に設けてもよく、重り１７０を、０．４５、０．９、１．３５、１．８、２．２５、４．５、９ｋｇ（１、２、３、４、５、１０、又は、２０ポンド）の増分で設けてもよい。
【００４１】
各重り１７０は、それぞれの開口１７２を有する。重り１７０が円形断面を有する場合、開口１７２は、各重りの中心領域又は中央領域に設けることができる。複数の重り１７０が積み重ねられた向きに配置されると、複数の開口１７２が最上重り１７０ａから最下重り１７０ｅまでの積み重ねられた重り１７０の１つの軸線に沿って延びているアパーチャを画定するように、複数の開口１７２が互いに整列され又は重なり合う。
【００４２】
各重り１７０は、それぞれの開口内に延びる１つ以上のレッジ(ledge)１７４を有する。特定のレッジ１７４の周方向幅は、それぞれの重りが重り１７０の積み重ねの中のどこに配置されるかに依存する。すなわち、積み重りの中の重り１７０が高いほど、レッジ１７４は広くなる。図６Ａに示すように、レッジ１７４ａは、最大の幅（開口１７２ａのほぼ半分に及ぶ）を有し、レッジ１７４ｅは、最小の幅（開口１７２ｅのごくわずかにしか及ばない）を有する。
【００４３】
各重り１７０は、その周囲に１つ以上のスロット１７６を有しうる。複数の重り１７０が積み重ねられた向きに配置される時、複数のスロット１７６は互いに整列又は重なり合い、これらスロット１７６が共になってシェル１４２の内部の隆起部１４６に沿って摺動することができるようになる。
【００４４】
運動装置１００の例示的な動作は、本発明の態様に従って、また、図に示されている運動装置１００の実施形態を一般的に参照して、以下に説明される。
【００４５】
ウェイトトレーニング運動の前では、複数の重り１７０は、基部組立体１１０の表面１１４上に積み重ねられた向きで提供される。この位置において、複数の開口１７２によって画定されるアパーチャは、最上部の重り１７０ａの上面から残りの重り１７０を通ってドライバ１２０の領域まで延びている。
【００４６】
ウェイトトレーニング運動を行う前に、使用者は、積み重ねられた重り１７０の上にシェル組立体１４０を配置する。あるいは、シェル組立体１４０は、既に、シェル１４２の下面１４８が基部組立体１１０の表面１１６上に支持された状態で、重り１７０の上に配置されうる。この位置では、シャフト１５０は、開口１７２によって形成されたアパーチャを通って延び、ドライバ１２０と物理的に連結することができる。
【００４７】
使用者が運動を開始する準備が整うと、使用者は、入力装置１２４を介して適切な入力を提供することができる。この入力は、ウェイトトレーニング運動の種類、重量、又は、重り１７０の数の選択からなる。この入力の受信に応答して、ドライバ１２０は、使用者の入力に対応する複数の重り１７０と係合するように、シャフト１５０を自動的に移動させる。基部組立体１１０がコントローラ１２２を有する場合、コントローラ１２２は、シャフト１５０を適切な数の重り１７０と選択的に連結させるように、シャフトを回転させるように、ドライバ１２０を制御する。コントローラ１２２は、例えば、ウェイトトレーニング運動の種類、又は、使用者が選択した重量などの使用者の入力に対応する重り１７０の適切な数を決定するようにプログラムされ、又は予め定められうる。使用者が複数の重りを選択する場合、コントローラ１２２は、選択された数の重り１７０と連結させるように、シャフト１５０を回転させるように、ドライバ１２０を制御することができる。
【００４８】
代替的に又は入力装置１２４に加えて、ドライバ１２０は、通信装置１２８による通信の受信に応答して動作しうる。運動装置１００の使用者は、例えば使用者のスマートフォンを使用して、ウェイトトレーニング運動の種類、重量、又は重り１７０の数の選択を装置１００の通信装置１２８に無線で送信することができる。このデータを受信すると、コントローラ１２２は、通信装置１２８から受信したデータに基づいて、シャフト１５０を回転させるようにドライバ１２０を電気的に制御する。
【００４９】
ドライバ１２０によるシャフト１５０の回転によって、複数の突出部１５２の内の１つ以上の突出部１５２が、重り１７０の対応するレッジ１７４と選択的に係合する。突出部１５２によって係合されるレッジ１７４の数は、シャフト１５０の回転位置に依存する。このように、ドライバ１２０は、シャフト１５０の回転位置を制御することによって、シャフト１５０に係合される重り１７０の数を制御することができる。このような位置決めの一例を以下に説明する。
【００５０】
シャフト１５０の第１の回転位置において、突出部１５２のいずれも、レッジ１７４のいずれの下にもない。この位置では、シャフト１５０は、開口１７２を通して自由に移動可能であり、例えば、関連する重り１７０なしでシェル組立体１４０を持ち上げることができる。
【００５１】
シャフト１５０の第２の回転位置において、最上部の突出部１５２ａは、重り１７０ａのレッジ１７４ａの下にあり、一方、残りの突出部１５２は、いかなる他のレッジ１７４の下にない。この位置では、シャフト１５０は、重り１７０ａと係合する。すなわち、重り１７０ａがシャフト１５０に対して軸線方向に移動するのを防止し、それに関連する重り１７０ａと共にシェル組立体１４０を持ち上げることができる。
【００５２】
シャフト１５０の第３の回転位置において、最上部の突出部１５２ａは、重り１７０ａのレッジ１７４ａの下にあり、二番目の突出部１５２ｂは、重り１７０ｂのレッジ１７４ｂの下にあるが、残りの突出部１５２は、他のレッジ１７４の下にない。この位置では、シャフト１５０は、重り１７０ａ及び１７０ｂと係合する。すなわち、重り１７０ａ及び１７０ｂがシャフト１５０に対して軸線方向に移動するのを防止し、関連する重り１７０ａ及び１７０ｂと共にシェル組立体１４０を持ち上げることができる。
【００５３】
シャフト１５０を第４、第５、第６の回転位置等に回転させて、上述したのと同様に重り１７０ｃ、１７０ｄ、１７０ｅとの係合を追加してもよいことが理解されるであろう。同様に、シャフト１５０は、シャフト１５０に係合することが可能な重り１７０の総数に応じて、任意の数の回転位置に回転させることができることが理解されるであろう。例えば、運動装置１００が合計で３つの重りを有する場合、シャフト１５０は４つの異なる位置に回転可能とし、運動装置１００が合計で７つの重りを有する場合、シャフト１５０は８つの異なる位置に回転可能としうる。
【００５４】
シャフト１５０が正しい回転位置まで回転させられ、適当な数の重り１７０がシャフト１５０に係合される時、例えば、ハンドル１６０を握ってシェル組立体１４０を持ち上げる使用者によって、シェル組立体１４０を基部組立体１１０から持ち上げて外すことでシャフト１５０をドライバ１２０から切り離すことができる。その後、運動装置１００の使用者は、運動装置１００を用いて所望のウェイトトレーニングの運動を行うことができる。有利には、ドライバ１２０からの切り離しによって、シャフト１５０を回転させるための手段を取り外し、それによって、シャフト１５０の回転を防止し、ウェイトトレーニング運動中のシャフト１５０からの重り１７０の切り離しを防止する。
【００５５】
図１１は、本発明の態様による例示的な運動方法２００を示す。一般に、この運動方法２００は、シェル組立体を位置決めするステップと、シャフトを１つ以上の重りと選択的に連結させるようにシャフトを回転させるステップと、シェル組立体を持ち上げるステップとを有する。この運動方法２００のさらなる詳細は、装置１００の構成要素に関して以下に記載される。
【００５６】
ステップ２１０では、シェル組立体が、その上に位置決めされた複数の重りを有する基部組立体上に位置決めされる。例示的な実施形態では、シェル組立体１４０は、重り１７０がシェル組立体１４０のシェル１４２の内部空間部１４４内に受け入れられるように、基部組立体１１０の表面１１６上に、重り１７０よりも上に配置される。シェル組立体１４０が重り１７０より上に位置決めされる時、シャフト１５０は、重り１７０の開口１７２によって画定された範囲内に位置決めされる。
【００５７】
ステップ２２０では、シャフトを複数の重りの内の１つ以上の重りと選択的に連結させるようにシェル組立体のシャフトが回転させられる。例示的な実施形態において、シャフト１５０は、シェル１４２及び重り１７０に対して回転させられる。シャフト１５０は、基部組立体１１０のドライバ１２０によって回転させられる。ドライバ１２０は、運動を行った個人によって入力装置１２４に提供された入力に基づいて、シャフト１５０を回転させ、その後、コントローラ１２２に通信する。ドライバ１２０によるシャフト１５０の回転によって、シャフト１５０を、所望の数の重り１７０、例えば、運動方法２００を行う個人によって選択された数の重りと選択的に係合させる。さらなる実施形態では、この係合は、シャフト１５０の軸線に沿った所望の数の重り１７０の移動を防止するように、シャフト１５０上の突出部１５２が、所望の数の重り１７０のそれぞれのレッジ１７４と係合する（例えば、その下に位置する）ように、シャフト１５０を回転させることを含む。
【００５８】
ステップ２３０では、シェル組立体が持ち上げられる。例示的な実施形態において、シェル組立体１４０は、運動方法２００を行う個人によって基部組立体１１０から持ち上げられて外される。個人は、シェル組立体１４０のハンドル１６０を握ってシェル組立体１４０を持ち上げることができる。シェル組立体１４０は、シェル１４２の内部空間部１４４内に保持されたシャフト１５０に連結された重り１７０と共に持ち上げられる。シャフト１５０の突出部１５２と重り１７０のレッジ１７４との係合によって、シェル組立体１４０が基部組立体１１０から持ち上げられて外される時に、重り１７０がシャフト１５０から切り離されるのを防止する。
【００５９】
図１２は、本発明の態様による例示的な運動システム３００を示す。一般に、システム３００は、複数の運動装置１００を有する。運動システム３００のさらなる詳細は、運動装置１００の構成要素を参照して以下に説明する。
【００６０】
上述のように、運動装置１００は、基部組立体１１０を備える。運動システム３００では、各運動装置１００は、それぞれの基部組立体１１０を備えうる。あるいは、運動システム３００は、複数のシェル組立体及び積み重ねられた重りを支持するように構成されている１つ以上の組み合わされた基部組立体を備えうる。このような組み合わされた基部組立体は、組み合わされた基部組立体によって支持される各シェル組立体についての下位構成要素（例えば、入力装置、ディスプレイ、及び、通信装置）を有することができ、又は、組み合わされた基部組立体によって支持されるシェル組立体及び積み重ねられた重りのそれぞれに関連する単一の下位構成要素を有しうる。
【００６１】
運動装置１００の各基部組立体１１０のドライバ１２０（又は、組み合わされた基部組立体のドライバ１２０）は、関連する通信装置１２８を介して受信したデータに基づいて、それぞれのシャフト１５０を回転させるように構成されている。例示的な実施形態において、複数の運動装置１００ａの１つ（例えば、マスター運動装置）は、（例えば、入力装置１２４を介して）重り１７０の数の選択からなる、使用者からの入力を受信する。次に、マスター運動装置１００ａに関連する通信装置１２８は、（図１２の矢印で示すように）使用者からの入力を、システム３００内の他の運動装置１００ｂ、１００ｃの内の１つ以上の運動装置の通信装置１２８に送信する。これらの他の運動装置１００ｂ及び１００ｃは、マスター運動装置１００ａの通信装置１２８からデータを受信し、適切な数の重り１７０と係合するようにシャフト１５０を回転させるようにドライバ１２０を操作するように構成されている。このようにして、運動システム３００の１人の使用者（例えば、ウェイトトレーニングのトレーナー）は、運動システムの別の使用者達（例えば、生徒達）のそれぞれに対する重量の選択を制御することができる。
【００６２】
図１３は、本発明の態様による、別の例示的な運動システムである運動システム４００を示す。一般に、本発明は、また、各々が互いに隣接して配置されるように構成されている複数の重りを有する複数の運動装置を備え、これら運動装置の各々が、選択された数の複数の重りに係合するように構成されている運動システムを提供する。また、運動システムは、複数の運動装置の内の少なくとも１つの運動装置の複数の重りを支持するように構成されている基部を有する少なくとも１つの基部組立体を備え、基部組立体は、複数の運動装置の内の少なくとも１つの運動装置に連結されかつ切り離されるように構成されている。運動システムは、任意に、複数の運動装置の内の１つ以上の運動装置と通信するように構成されているインターフェイスを有する。基部組立体は、インターフェイスから受信した又はインターフェイスに通信された情報に基づいて、複数の運動装置の内の１つ以上の運動装置によって係合される重りの数を増減するような、複数の運動装置の内の１つ以上の運動装置と協働するように任意に構成されている。
【００６３】
一般に、システム４００は、基部組立体４１０と、複数のシェル組立体４４０とを有する。基部組立体４１０及びシェル組立体４４０は、運動装置１００に関して上述した構成要素のいずれかを有しうる。システム４００のさらなる詳細は、後述される。
【００６４】
基部組立体４１０は、シェル組立体４４０の各々を有する、システム４００の構成要素に対する支持を提供する。基部組立体４１０は、組み合わされた基部組立体であり、各シェル組立体４４０又は組み合わされた基部組立体によって支持されるシェル組立体４４０のグループに関連する下位要素（例えば、ドライバ、入力装置、コントローラ、通信装置など）を備えてもよく、又は、シェル組立体４４０及び組み合わされた基部組立体４１０によって支持される、積み重ねられた重りのそれぞれ又は全てに関連する単一の下位要素を有しうる。
【００６５】
基部組立体４１０は、基部組立体４１０上に支持されたシェル組立体４４０の各々についてのドライバを収容する。各ドライバは、運動装置１００に関して上述したように、各シェル組立体４４０のそれぞれのシャフトに連結されかつ切り離されるように構成されている。
【００６６】
基部組立体４１０は、１つ以上のコントローラをさらに備えうる。基部組立体４１０は、複数のコントローラ、例えば、各ドライバのための１つのコントローラ、又は、各ドライバ又は各グループのコントローラを備えてもよく、又は、全てのドライバを電気的に制御する単一のマスターコントローラを備えうる。
【００６７】
運動システム４００は、入力装置４２４などのユーザ・インターフェイスをさらに備えうる。入力装置４２４は、運動システム４００の使用者からの入力を受信する。入力装置４２４は、運動装置１００に関して上述したように、システム４００のシェル組立体４４０のいずれかについての重りの数を選択するように動作可能としうる。入力装置４２４は、全てのシェル組立体４４０に対して同じ重量を入力することを可能にしてもよく、又は、各シェル組立体４４０の重量を個別に設定することを可能にしてもよい。
【００６８】
入力装置４２４の形態は、上記に限定されるものではない。図１３に示されるように、入力装置４２４は、基部組立体４１０とは別個に形成されてもよく、有線又は無線により基部組立体４１０のコントローラと通信しうる。あるいは、入力装置４２４は、基部組立体４１０を有する１つの構造に一体化されうる。全てのシェル組立体４４０に対して単一の入力装置４２４を設けてもよいし、各シェル組立体４４０に対して入力装置４２４を設けてもよい。入力装置４２４として使用するための構造は、本明細書の説明から知られるであろう。
【００６９】
図１３に示されるように、入力装置４２４は、ディスプレイ４２６と一体化されうる。ディスプレイ４２６は、使用者による入力装置４２４に提供される入力、例えば、選択された運動、重量、又は選択された数の重りを表示するように構成されている。入力装置４２４と同様に、全てのシェル組立体４４０に対して単一のディスプレイ４２６を設けてもよく、又は、各シェル組立体４４０、又はシェル組立体４４０のグループ又はサブグループに対してディスプレイ４２６を設けてもよい。ディスプレイ４２６として使用するのに適したディスプレイは、本明細書の説明から分かるであろう。
【００７０】
シェル組立体４４０は、システム４００の使用者によって把握され、持ち上げられる。各シェル組立体４４０は、運動装置１００に関して上述したように、それぞれのシェル組立体４４０の内部に収容された１つ以上の重りと選択的に連結させることができるシャフトを有する。
【００７１】
従って、図１３に示す運動システムなどのマルチスタンドの実施形態は、例えばケトルベルなどの複数の運動装置を１つのスタンドに表示する能力を有し、運動装置の全てを制御する１つのメインディスプレイ又は隣接する運動装置を制御する各ディスプレイを備えた複数のディスプレイのいずれかを有することになる。各運動装置の重りは、各装置ごとに同じ又は異なる重りにすることができる。例えば、図示の目的のために、運動装置の上半分（図１３に示されている上部ラック上）は、それぞれ最大１８．９ｋｇ（４２ポンド）を保持することができ、下半分は最大４０．５ｋｇ（９０ポンド）の重量を有しうる。他の重量や様々な重りとの組み合わせも考えられる。
【００７２】
本発明による運動装置及びシステムは、消費者の好み、美的考察、源識別の等の要因に応じて、所望により、広範囲の装飾的形状及びデザイン並びに輪郭を任意に備える。したがって、種々の装飾的なデザインを、本明細書に記載される機能性とは無関係に選択することができる。例えば、例示のために、運動装置の装飾的な例示は、２０１８年２月２日に出願された同時係属の米国意匠特許出願第２９／６３５，８０１号に示されており、その開示は、本明細書において参照により組み込まれている。
【００７３】
図１４Ａ〜１４Ｇ、１５及び１８Ａ〜１８Ｆは、本発明の態様による例示的な運動装置又は器具５００を示す。運動装置５００は、例えば、ダンベルの形態で設けることができる。運動装置５００は、代わりに、バーベルとしうる。
【００７４】
一般に、装置５００は、基部組立体５１０と、シェル組立体５４０と、複数の重り５７０とを有する。装置５００のさらなる詳細は、以下に記載される。
【００７５】
図１４Ａ〜１４Ｇ及び１５を参照すると、運動装置５００は、互いに隣接して配置されるように構成されている複数の重り５７０と、内部を画定するハンドルシャフト５４２を有するシェル組立体５４０とを有し、シェル組立体５４０は、シェルに対する移動のために連結されかつシェル５４４の内部を延びているシャフト５４４を有し、シャフト５４４のシェルに対する移動で、シャフト５４４を複数の重り５７０の内の１つ以上の重り５７０に選択的に連結し、複数の重り５７０及びシェル組立体５４０を支持するように構成されているハウジング５１２を有する基部を有する基部組立体５１０とを有し、シェル組立体５４０がハウジング５１２を有する基部によって支持されている時に、シェル組立体５４０のシャフト５４４に連結されるように構成されているモータ５２３を有する基部組立体５１０であって、シェル組立体５４０がハウジング５１２を有する基部によって支持されていない時に、ドライバ５２３は、シェル組立体５４０のシャフト５４４から切り離されるように構成されており、基部組立体５１０のドライバ５２３は、ドライバ５２３がシェル組立体５４０のシャフト５４４に連結されてシャフト５４４を複数の重り５７０の内の１つ以上の重り５７０と選択的に連結させる時に、シェル組立体５４０のシャフト５４４をシェル組立体５４０のシェルに対して移動させるように構成されている。
【００７６】
複数の重り５７０は、複数のグループで配置され、これら複数のグループの各々は、シェル組立体の両側に配置され、シェル組立体５４０は、複数のシャフト５４４を有し、複数のシャフトの各々は、シェルに対する移動のために連結されかつシェルの内部で延び、シャフト５４４のシェルに対する移動は、重り５７０の複数のグループの各々において、シャフト５４４を１つ以上の重り５７０と選択的に連結させる。
【００７７】
複数の重り５７０のそれぞれは、開口５８２を有し、複数の重り５７０の開口５８２は、複数の重り５７０が互いに隣接する時に、軸線「Ｂ」に沿って延びるアパーチャ５８２’を少なくとも部分的に画定する。
【００７８】
シェル組立体５４０のシャフト５４４は、複数の重りによって画定されるアパーチャ５８２’内に位置決め可能である。複数の重り５８２の各々は、１つ以上の係合面５８０、５９０を有する。ドライバ５２３によるシャフト５４４のシェルに対する移動により、シャフト５４４は、アパーチャ５８２の軸線Ｂに直交する方向に沿った複数の重り５７０の１つ以上の重り５７０の移動を制限又は防止するために、複数の重り５７０の１つ以上の重り５７０のと選択的に係合する。
【００７９】
シェル組立体５４０は、運動装置５００の使用者によって握られるように位置決めされたハンドル部分５４２をさらに備える。ドライバ５２３は、モータ５２３を備え、基部組立体５１０は、運動装置の使用者からの入力に基づいて、シャフト５４４を移動させるためにモータ５２３を電気的に制御するコントローラをさらに備える。
【００８０】
基部組立体５１０は、さらに、、かつ、運動装置５００の使用者からの入力に基づいてドライバがシャフト５４４を回転させるようにドライバ５２３に電気的又は機械的に連結されている入力装置５２１を備える。
【００８１】
シェル組立体５４０のシャフト５４４を基部組立体のドライバ５２３から切り離すことで、シャフト５４４のシェルに対する移動を阻止し、それによって、運動装置５００のシャフト５４４からの複数の重り５７０の内の１つ以上の重り５７０の切り離しを阻止する。
【００８２】
運動方法はまた、シェル組立体５４０を、その上に配置された複数の重り５７０を有する基部組立体５１０上に配置するステップと、シャフト５４４を複数の重り５７０の１つ以上の重り５７０に選択的に連結するように、シャフト５４４に連結された基部組立体５１０のドライバ５２３によってシェル組立体５４０のシャフト５４４をシェルに対して移動させるステップと、シェル組立体５１０のシャフト５４４に連結された複数の重り５７０の１つ以上の重り５７０と共にシェル組立体５４０を基部組立体５１０から持ち上げて外すステップとを有する。
【００８３】
複数の重り５７０の各々は、開口５８２を有し、複数の重り５７０の開口５８２は、少なくとも部分的に、軸線Ｂに沿って延びるアパーチャ５８２’を画定し、上記の基部組立体５１０上に配置するステップは、複数の重り５７０によって画定されるアパーチャ５８２’内にシェル組立体５４０のシャフト５４４を位置決めするステップを備える。複数の重り５７０の各々は、１つ以上の係合面５８０、５９０を有し、上記の移動ステップは、アパーチャ５８２’の軸線Ｂに直交する方向への複数の重り５７０の１つ以上の重り５７０の移動を阻止するように、シャフト５４４を複数の重り５７０の各々の係合面５８０、５９０に選択的に係合させるように、シャフト５４４をシェルに対して移動させるステップを有する。シェル組立体５４０は、ハンドル部分５４２をさらに有し、上記の持ち上げて外すステップは、シェル組立体５４０のハンドル部分を握るステップを有する。ドライバ５２３は、モータ５２３を備え、基部組立体５１０は、モータ５２３を電気的に制御するコントローラをさらに備え、上記の移動ステップは、シャフト５４４を移動させるようにモータ５２３を制御するように入力をコントローラに提供するステップを備える。基部組立体５１０は、ドライバ５２３に電気的又は機械的に連結された入力装置５２１をさらに有し、上記の移動ステップは、入力装置５２１で入力を受信し、受信した入力に基づいてドライバ５２３にシャフト５４４を移動させるステップを備える。運動方法は、シェル組立体５４０が基部組立体５１０から持ち上げられて外される時に、運動装置のシャフト５４４からの複数の重り５７０の内の１つ以上の重り５７０の切り離しを防止するステップをさらに備える。
【００８４】
運動システムは、互いに隣接して位置決めされるように構成されている複数の重り５７０を各々が有する複数の運動装置５００と、複数の重り５７０に対して移動するように構成されているシャフト５４４とを有し、シャフト５４４の複数の重り５７０に対する移動によって、複数の重り５７０の内の１つ以上の重り５７０とシャフト５４４を選択的に連結し、運動システムは、複数の重り５７０を支持するように構成されている基部を有する基部組立体５１０と、シャフト５４４に連結しかつ切り離すように構成されているドライバ５２３と、複数の運動装置５００の内の別の１つの運動装置５００の通信装置と無線で通信するように構成されている通信装置を有し、複数の運動装置５００の内の１つの運動装置５００のドライバ５２３は、複数の運動装置５００の内の別の１つの運動装置５００の通信装置から受信されたデータに基づいて、複数の運動装置５００の内の１つの運動装置５００のシャフト５４４を移動させるように構成されている。
【００８５】
ドライバ５２３は、モータ５２３を備え、各基部組立体５１０は、複数の運動装置５００の内の他の運動装置５００の通信装置から受信したデータに基づいて、シャフト５４４を移動させるようにモータ５２３を電気的に制御するコントローラをさらに備える。複数の運動装置の内の１つの運動装置のドライバ５２３は、運動システムの使用者からの入力に基づいて、複数の運動装置５００の内の１つの運動装置５００のシャフト５４４を移動させるようにさらに構成されており、かつ、使用者からの入力を、複数の運動装置５００の内の別の運動装置５００の通信装置に送信するように構成されている。通信装置は、複数の運動装置５００の内の運動装置５００の１つのシャフト５４４に連結された重り５７０の数に対応するデータを、複数の運動装置５００の内の別の運動装置５００に無線で通信するように構成されている。
【００８６】
運動装置は、互いに隣接して配置されるように構成されている複数の重り５７０と、複数の重り５７０の内の１つ以上の重り５７０と係合するように構成されているシャフト５４４と、シャフト５４４に連結しかつ切り離すように構成されているドライバ５２３を有する基部組立体５１０と、シャフト５４４又は基部組立体５１０に関連した入力装置５２１とを有し、複数の重り５７０の数に対応する選択からなる、運動装置５００の使用者から入力を受信するように構成されており、基部組立体５１０のドライバ５２３は、ドライバ５２３がシャフト５４４に連結されている時、及び、シャフト５４４と選択された複数の重り５７０の数と選択的に係合するように入力が入力装置５２１によって受信された時に、自動的にシャフト５４４を複数の重り５７０に対して移動させるように構成されている。
【００８７】
基部組立体５１０は、複数の重り５７０を支持するように構成されている基部をさらに備える。複数の重り５７０の各々は、開口５８２を有し、複数の重り５７０の開口５８２は、複数の重り５７０が互いに隣接する時に軸線Ｂに沿って延びるアパーチャ５８２’を少なくとも部分的に画定し、シャフト５４４は、アパーチャ５８２’内に位置決め可能である。複数の重り５７０の各々は、１つ以上の係合面５８０、５９０を有する。ドライバ５２３によるシャフト５４４の移動により、シャフト５４４は、アパーチャ５８２’の軸線Ｂに直交する方向への複数の重り５７０の１つ以上の重り５７０の移動を阻止又は制限するように、複数の重り５７０の選択された数の重り５７０の係合面５８０、５９０のそれぞれの係合面と選択的に係合させる。シャフト５４４は、シャフト５４４に対して平行に向けられたハンドル部分に連結されている。
【００８８】
ドライバ５２３は、モータ５２３を備え、基部組立体５１０は、運動装置５００の使用者からの入力に基づいて、シャフト５４４を移動させるようにモータ５２３を電気的に制御するコントローラをさらに備える。運動装置５００は、さらに、複数の重り５７０の選択された数に対応する値、又は、複数の重り５７０の選択された数に対応する重量を表示するように構成されているディスプレイ５１９を備える。基部又はシャフト５４４に関連するセンサ５５７、５５９は、ドライバ５２３がシャフト５４４と連結され又は切り離された時に検出するように構成されている。
【００８９】
ハンドル部分５４２は、シェル組立体５４０のシェルに沿って設けられ、ハンドル軸線Ｂを画定し、複数の重り５７０の各々は、ハンドル軸線Ｂに平行に向けられた重り軸線Ｂから半径方向外側に延びる。
【００９０】
運動装置は、シェル組立体５４０が基部組立体５１０によって支持される時にドライバ５２３及びシェル組立体５４０のシャフト５４４に連結される駆動シャフト５２７をさらに備え、駆動シャフト５２７は、駆動シャフト５２７がシェル組立体５４０のシャフト５４４に連結される時にシャフト５４４をシェル組立体５４０のシェルに対して回転させるように構成されている。駆動シャフト５２７は、ドライバ５２３がシェル組立体５４０のシャフト５４４に連結され、かつ、シェル組立体５４０が基部組立体５１０によって支持される時に、シェル組立体５４０の内部に延びるように配置される。駆動シャフト５２７は、シェル組立体５４０のシャフト５４４のシャフト軸線Ｂに対して直交して配向される。
【００９１】
運動装置は、ダンベルとバーベルで構成されているグループから選択される。複数の重り５７０は、シェル組立体５４０の両側に配置された複数のグループで配置され、シェル組立体５４０は、複数のシャフト５４４を有し、複数のシャフト５４４の各々は、シェルに対して移動するように連結されかつシェルの内部に延び、シャフト５４４のシェルに対する移動によって、シャフト５４４を、重り５７０のグループの各々において、１つ以上の重り５７０と選択的に連結し、シャフト５４４のシェルに対する移動により、重り５７０のグループの各々において、シャフト５４４を等しい数の重り５７０と選択的に連結させる。
【００９２】
シェル組立体５４０は、ハンドルシャフト５４２及びシェルサブ組立体５４５を有し、それぞれがハンドルシャフト５４２の端部に連結される。シェルサブ組立体５４５の各々は、少なくとも部分的に内部領域を画定する。駆動シャフト組立体５３１は、各々がシェルサブ組立体５４５のそれぞれの内部領域内に少なくとも部分的に配置されており、各駆動シャフト組立体５３１は、複数のシャフト５４４のそれぞれのシャフト５４４と係合するように配置されている。
【００９３】
運動装置は、さらに、シェル組立体５４０が基部組立体５１０によって支持される時にシェル組立体５４０の複数のシャフト５４４のそれぞれのシャフト５４４に連結されるように各々が構成されている複数のドライバ５２３を備え、複数の駆動シャフト組立体５３１の各々は、複数のドライバ５２３のそれぞれのドライバ５２３に切り離し可能に連結可能である。複数のシャフト５４４の各々がギアラック５７２を有し、複数の駆動シャフト組立体５３１の各々の駆動シャフト組立体５３１の駆動シャフト面が、複数のシャフト５４４のそれぞれのシャフト５４４のギアラック５７２に係合された歯車５６１を有する。
【００９４】
少なくとも２つの重り５７０は、一対の重りを形成するように、重り５７０の軸線Ｂに沿って互いに隣接して配置されるように構成されており、一対の重りの内の第１の重りは雄面５８０を有し、一対の重りの内の第２の重りは、第１の重りの雄面５８０によって係合されるように構成されている雌面５９０を有し、それによって、軸線Ｂに沿った一対の重り５７０の第１の重りと第２の重りの互いに対する移動を制限又は排除するように構成されている。一対の重り５７０の内の第１の重りと第２の重りは、それぞれ、シャフト５４４を第１の重りと第２の重りと選択的に連結させるために、シェル組立体５４０のシャフト５４４を受容するように、軸線Ｂに沿って延びているアパーチャ５８２を画定し、シャフト５４４は、軸線Ｂに直交する方向における一対の重りの内の第１の重りと第２の重りの互いに対する移動を制限又は排除する。
【００９５】
シェル組立体５４０は、シェル組立体５４０の移動に対応するデータを記憶するように構成されているメモリを有する。基部組立体５１０は、シェル組立体５４０の移動に対応するデータを受信するように構成されているメモリを有する。
【００９６】
基部組立体５１０及びシェル組立体５４０は、基部組立体５１０がシェル組立体５４０を支持している時にシェル組立体５４０の移動に対応するデータを共有するように構成されている。基部組立体５１０は、シェル組立体５４０の移動に対応するデータを遠隔装置に無線送信するように構成されている。
【００９７】
より具体的には、図１４Ａ〜１４Ｇ、１５及び１８Ａ〜１８Ｆに図示される実施形態の詳細を参照すると、基部組立体５１０は、装置５００の構成要素に対する支持を提供する。基部組立体５１０は、半円筒ハウジング５１２と、ハウジング５１２の下面に取り外し可能に取り付けられる基部カバー５１３とを有する。
【００９８】
ハウジング５１２は、装置５００の他の構成要素が当接しうる１つ以上の外面を有する。図１５に示されるように、基部組立体５１０のハウジング５１２は、その上部に第１の表面５１４及び第２の表面５１６を有する。これら表面５１４及び５１６は、シェル組立体５４０及び重り５７０を支持するように構成されている基部を形成する。各表面５１４、５１６は、上方に突出するリブ５１７を有し、これらのリブは、均一に離間しており、いくつかの重り５７０を、例えば積み重ねられた向きで支持するように構成されている。重り５７０の下面は、隣接する２つのリブ５１７の間に適合する寸法とされる。
【００９９】
ハウジング５１２は、所望の重量を選択するための２つの使用者操作可能なボタン５２１の形態の使用者制御インターフェイスと、選択された重量を表示するためのいくつかのボタン５２１の間に配置されたディスプレイ５１９とを有する。あるボタン５２１は、シェル組立体５４０に取り外し不能に取り付けられる重りの重量（すなわち、重りの数５７０）を増加させるための「＋」とラベル付けされ、別のボタン５２１は、シェル組立体５４０に取り外し不能に取り付けられる重りの量（すなわち、重りの数５７０）を減少させるための「−」とラベル付けされる。ボタン５２１は、本明細書では、一般に、使用者入力装置と称され得る。
【０１００】
内部領域は、装置５００の特定の構成要素を収容するハウジング５１２内に画定される。図１４Ｇに最もよく示されるように、この例示的な実施形態によれば、２つのモータ５２３の形態のドライバが、内部領域内に取り付けられる。ドライバは、シェル組立体５４０に加えられる重量を調節するように構成されている。各モータ５２３は、軸線を中心に回転するように構成されている出力シャフト５２５を有する。当業者は、ドライバが図示及び説明されているものとは異なる場合があることを認識するであろう。例えば、ドライバは、単一のモータ５２３を備えうる。
【０１０１】
各出力シャフト５２５は、シャフト５２５及び５２７が共に回転するように、中間シャフト５２７に非回転可能に連結されている。各中間シャフト５２７の下端は、シャフト５２５及び５２７が共に回転するように、複数の出力シャフト５２５の内の１つの出力シャフト５２５に固定され、各中間シャフト５２７の上端は、シェル組立体５４０の一部を形成するシャフト５３１を解放可能に受け入れるように構成されている開口５２９を有する。シャフト５２７の開口５２９は、シャフト５３１及び５２７が共に回転するように、シャフト５３１の下端にキー止めされる。シャフト５３１及び５２７は、装置５００の動作中に、定期的に取り外されて再度取り付けられることが可能であることを理解されたい。
【０１０２】
各中間シャフト５２７の上端は、ハウジング５１２の上面から突出する中空シリンダ５３３（図１５参照）内に配置され、これにより、シャフト５２７の開口５２９が、ハウジング５１２の外側から見え、アクセス可能となる。バネ５３５は、シャフト５２７の上端とシリンダ５３３の内側表面との間に、シリンダ５３３内の中心シャフト５２７まで配置され、シャフト５２７とシャフト５３１との間の確実な接続を保証する。各中間シャフト５２７の上端は、シリンダ５３３の上面と同一平面とすることができる。あるいは、各中間シャフト５２７の上端は、シリンダ５３３の上面に対してわずかに凹んでいるか、突出するかのいずれかとしうる。
【０１０３】
ディスプレイ５１９及びボタン５２１と相互作用するためのプリント回路基板（ＰＣＢ）５３９が、ハウジング５１２内に取り付けられる。ＰＣＢ５４１は、また、後述するように、ＰＣＢ５４１から受信された信号に基づいてモータ５２３を制御するために、ハウジング５１２内に取り付けられる。ＰＣＢ５４１は、（少なくとも）プロセッサと、コントローラと、Bluetooth（登録商標）又はWi−Fi（登録商標）などの無線信号を送信又は受信するための無線送信機又は無線受信機を有する。
【０１０４】
次に、シェル組立体５４０を参照すると、シェル組立体５４０は、本質的に、重り５７０が付与されていないバーベルである。シェル組立体５４０は、一般に、中空円筒の形態のハンドルシャフト５４２と、ハンドルシャフト５４２の中空内部に位置決めされた２ピースからなる伸縮自在シャフト５４４と、シャフト５４２の両側部に取り付けられた２つのシェルサブ組立体５４５とを有する。
【０１０５】
これらシェルサブ組立体５４５は、実質的に同一であり、シェルサブ組立体５４５の内の１つのみを以下に説明する。シェルサブ組立体５４５は、一般に、シャフト５４２の端部に最も近接して位置決めされるボウル形状の円筒状内部ケース５４６と、内部ケース５４６の開放端に取り付けられる外側ケース５４８と、外側ケース５４８の外側に面する表面に取り付けられる雌ダブテールコネクタ５５０とを有する、シェルを有する。円形の開口が各シェルサブ組立体を貫通して形成され、長手軸線Ｂと実質的に整列している。
【０１０６】
図１４Ｇに最もよく示されるように、外側ケース５４８は、シャフト５４２の一端が受け入れられる中空シリンダ５５２を備える。シャフト５４２は、シャフト５４２の穴５５３を通過するシャフト５３１によってシリンダ５５２に固定的にかつ回転不能に取り付けられる。外側ケース５４８は、ケース５４６及び５４８を共に固定するために、内側ケース５４６上の嵌合特徴部に取り外し可能に接続される一連のスナップ接続特徴部５５５を有する。シャフト５４２とケース５４６とケース５４８を取り付けるための他の手段は、当業者には公知である。
【０１０７】
一連の機械的構成要素は、ケース５４６とケース５４８との間に画定される中空領域内に配置される。より具体的には、さらに、実質的に同一のシェルサブ組立体５４５の内の１つのみを参照すると、シャフト５３１は、中空領域内に回転可能に取り付けられる。シャフト５３１は、ハンドルシャフト５４２内の対向する複数の穴５５３と、外側ケース５４８のシリンダ５５２内の対向する複数穴５５６とを一致する（すなわち、通過する）。Ｃクリップ５６０は、シリンダ５５２の上方の位置でシャフト５３１に形成された溝部内に取り付けられ、別のＣクリップ５６０は、シリンダ５５２の下方の位置でシャフト５３１に形成された溝部内に取り付けられ、それによって、シャフト５３１の軸線方向位置をハンドルシャフト５４２に対して固定する。シャフト５３１は、穴５５３及び５５６内で回転可能であるが、穴５５３及び５５６に対して平行移動しないことを理解されたい。
【０１０８】
歯車５６１は、シャフト５３１と歯車５６１とが共に回転するように、シャフト５３１の中央領域に非回転可能に取り付けられている。歯車５６１とシャフト５３１は共に駆動シャフト組立体を形成する。歯車５６１は、歯車５６１と、歯車５６１が噛み合っているシャフト５４４上の歯付きギアラック５７２との間の不整合を収容するために、シャフト５３１の長さに沿って（すなわち、軸線Ａに沿って）わずかな程度で平行移動することが可能としうる。
【０１０９】
ここで、シェル組立体５４０の（集合的又は個々にシャフト５４４として参照される）伸縮自在シャフト５４４Ａ及び５４４Ｂの特徴を参照すると、各伸縮自在シャフト５４４は、シャフト５４４の大部分の長さに沿った半円筒部分を画定する切り欠き領域を有する実質的に円筒形状を有する。矩形チャネル５７４が、半円筒形部分の内部に面する側（すなわち、軸線Ｂに面する側）の長さに沿って形成される。歯付きギアラック５７２を形成する歯車歯は、チャネル５７４の実質的な部分に沿って画定されている。組み立てられた形態では、半円筒形部分の平坦面は、互いに面するように配置される。各歯車５６１は、両シャフト５４４のチャネル５７４内に位置決めされ、各歯車５６１の歯は、両方の歯付きギアラック５７２と噛み合わされ、軸線Ａを中心とする歯車５６１の少なくとも１つの回転により、軸線Ｂに沿った両シャフト５４４の平行移動を引き起こす。通常の動作では、両歯車５６１は、モータ５２３によって同時に回転させられ、軸線Ｂに沿った両シャフト５４４の平行移動を引き起こす。軸線Ａと軸線Ｂは直交していることを理解されたい。歯車５６１と歯付きギアラック５７２との間の歯の噛み合いにより、複数のシャフト５４４は、反対方向に同時に平行移動するように構成されている。複数のシャフト５４４は、シャフト５４４がいかなる重り５７０とも係合しない収縮位置（図１８Ｆ参照）と、シャフト５４４が１つ以上の重り５７０と係合する展開位置（図１４Ｇ参照）との間を移動するように構成されている。
【０１１０】
シェルサブ組立体５４５の特徴に戻って参照すると、いくつかのシェルサブ組立体５４５の内の１つについては、電子部品も、ケース５４６とケース５４８との間に画定される中空領域に収容される。電子部品は、（ｉ）装置５００の動きを感知する加速度計（例えば）の形態のセンサ５５２と、（ｉｉ）センサ５５２に給電するための再充電可能バッテリと、（ｉｉｉ）メモリと、装置５００のドッキング状態でセンサ５５２の測定値を基部組立体５１０に通信するためのプロセッサとを有するを有するＰＣＢとを有する。スプリングピン５５７（接点とも呼ばれる）は、シェル組立体５４０のドッキング状態で信号を転送して基部組立体５１０のＰＣＢ５４１に電力を供給するように、シェルサブ組立体５４５のＰＣＢに接続される。
【０１１１】
シェルサブ組立体５４５の雌ダブテールコネクタ５５０は、外側ケース５４８の外側に面する面に取り付けられ、隣接する重り５７０上に配置された雄ダブテールコネクタ５８０に解放可能に取り付けられるように構成されている。雌ダブテールコネクタ５５０は、例えば、締結具によってケース５４８に取り付けられてもよく、あるいは、雌ダブテールコネクタ５５０は、一体の部材としてケース５４８と共に形成されうる。
【０１１２】
雌ダブテールコネクタ５５０は、下面に開放端部を有する半円形雌ダブテール凹部５７６を有する。開口端は、雄ダブテールコネクタ５８０を隣接する重り５７０上に摺動可能に受け入れるように構成されている。また、図１７を参照して説明されるように、雌コネクタ５５０と重り５７０の雄ダブテールコネクタ５８０との間に形成されるダブテールジョイントによって、（シェル組立体５４０全体と共に）外側ケース５４８が、取り付けられた重り５７０に対して軸線Ｂを中心として回転するのを防止する。また、ダブテールジョイントは、取り付けられた重り５７０が、外側ケース５４８（及びシェル組立体５４０全体）に対して上方に移動するのを防止する。ダブテールジョイントは、取り付けられた重り５７０がシェル組立体５４０に対して軸線Ａに沿って下方に移動するのを妨げない。なお、このような下方への移動は、いくつかの伸縮自在シャフト５４４の内の１つが取り付けられた重り５７０内に形成された開口５８２内に配置された時にのみ妨げられる。より詳細には、伸縮自在シャフト５４４が、取り付けられた重り５７０内に形成された開口５８２内に位置決めされる時、取り付けられた重り５７０は、シャフト５４４、外側ケース５４８内の中心孔、及び取り付けられた重り５７０内の開口５８２の間の相互係合によって、シェル組立体５４０から垂直方向に離脱することが防止される。取り付けられた重り５７０は、雌ダブテールコネクタ５５０と雄ダブテールコネクタ５８０との間の相互係合により、水平方向にシェル組立体５４０から外れることが防止される。
【０１１３】
次に、重り５７０の特徴を参照すると、いくつかの重り５７０は、実質的に同一であり、１つの重り５７０のみを以下において図１６Ａ〜１６Ｇを参照して説明する。重り５７０は、第１の側面５８１と、第１の側面５８１とは反対の第２の側面５８３と、２つの側面５８１及び５８３の間に延びかつ相互接続する周面５８４とを有する円形プレートである。周面５８４の基部５８４ａは、ハウジング５１２の表面５１４、５１６に着座するために平坦である。円形開口５８２は、重り５７０の中心に形成され、重り５７０の長手軸線Ｂと実質的に整列されている。
【０１１４】
重り５７０は、第１の側面５８１において雌ダブテールコネクタ５９０を有し、第２の側面５８３において雄ダブテールコネクタ５８０を有する。第１の重り５７０の雌ダブテールコネクタ５９０は、第１の重りの第１の側面５８１に隣接する第２の重り５７０ｂの雄ダブテールコネクタ５８０と嵌合するように構成されており、一方、第１の重り５７０の雄ダブテールコネクタ５８０は、第１の重り５７０の第２の側面５８３に隣接する第３の重り５７０の雌ダブテールコネクタ５９０と嵌合するように構成されている。図１７は、重り５７０ｂの雌ダブテールコネクタ５９０と重り５７０ａの雄ダブテールコネクタ５８０との相互接続を示す。図１７の種々の特徴は、相互接続の理解を容易にするために、簡略化された形で示されている。
【０１１５】
雄ダブテールコネクタ５８０及び雌ダブテールコネクタ５９０は、一般に、本明細書では係合面と称され得る。当業者は、２つの本体の間の接続及び切り離しを達成するために他のコネクタスタイルが存在することを認識するであろう。したがって、コネクタ５８０及び５９０は、図示及び記載されるものとは異なる場合がある。
【０１１６】
図１６Ａに最もよく示されるように、重り５７０の側面５８１は、側面５８１から平坦面５９１に延びるＵ字形の切り抜き部分を有する。開口５８５は、重り５７０の基部５８４ａと交差する切り取り部分の基部に形成される。シェル組立体５４０を基部組立体５１０上にドッキングすると、開口５８５は、まず、基部組立体５１０上に既にドッキングされている隣接する重り５７０の雄ダブテールジョイント５８０を受け入れるような寸法にされ、また、ハウジング５１２のいくつかのリブ５１７の内の１つを受け入れるような寸法にされている。開口５８５及びリブ５１７の形状は、重り５１７が単一の向きでハウジング５１２上にのみ設置され得ることを確実にするように相補的であり、それによって、重り５１７のハウジング５１２上への不適切な設置を防止する。
【０１１７】
傾斜壁５８６は、Ａ字形状に延びる。より詳細には、傾斜壁５８６は、開口５８５の両端部から遠位方向に延び、重り５７０の長手軸線Ｂに向かって傾斜している。装置５００の組み立てられた形態では、隣接する重り５７０の雄ダブテールコネクタ５８０は、２つの傾斜壁５８６の間に配置される。したがって、傾斜壁５８６は、それに嵌合された隣接する重り５７０の回転を防止するように構成されている。
【０１１８】
雌ダブテールコネクタ５９０は、２つの傾斜壁５８６の遠位端部の間に延び、それらを接続する。雌ダブテールコネクタ５９０は、軸線Ｂの周りに延びる雌ダブテール面５８７を備える。雌ダブテール面５８７は、軸線Ｂの周りにおいてＵ字形状であり、傾斜壁５８６の２つの遠位端部の間に延び、接続する。雌ダブテール面５８７は、また、第１の側面５８１から第２の側面５８３に向かう深さ方向（すなわち、軸線Ｂに沿った）に傾斜し、両方とも、長手軸線Ｂを取り囲み、長手軸線Ｂに面する。図１６Ｇに最もよく見られるように、重り５７０の第１の側面５８１から第２の側面５８３に向かう方向から見ると、雌ダブテール面５８７は、重り５７０の長手軸線Ｂから離れる方向に向かう外向き方向に（例えば、４５度の角度で）延びる。図１７に最良に示されるように、１つの重り５７０ｂの雌ダブテールコネクタ５９０は、雌ダブテール面５８７の傾斜面と重り５７０ａの平坦面５９１との間に嵌合重り５７０ａの篏合雄ダブテールコネクタ５８０を捕捉するように設計される。
【０１１９】
雌ダブテールコネクタ５９０は、図１６Ａに示されるように、重り５７０の第１の側面５８１に締結される別個のインサートの一部を形成してもよく、あるいは、雌ダブテールコネクタ５９０は、図１７に示されるように、重り５７０の第１の側面５８１と一体化されうる。
【０１２０】
図１６Ｃ〜１６Ｇに最もよく示されるように、各重り５７０の側面５８３は、雄ダブテールコネクタ５８０を有する。雄ダブテールコネクタ５８０は、軸線Ｂに沿って側面５８３から外側に延びる墓石(tombstone)形状の突出部である。雄ダブテールコネクタ５８０は、重り５７０の基部表面５８４ａと実質的に平行である平坦な底面５９７を有する。ダブテール面５９５は、平坦な底面５９７の両端部から延び、それらを接続する。ダブテール面５９５は、Ｕ字形であり、軸線Ｂを取り囲む。図１６Ｄに最もよく示されるように、ダブテール面５９５は、第２の側面５８３から鋭角（例えば、４５度）で、軸線Ｂから離れる方向に外側に延びる。図１７に最もよく示されるように、１つの重さ５７０ａの雄ダブテール面５９５は、雌ダブテール面５８７の傾斜面と篏合重り５７０ｂの平面５９１との間に捕捉されるように設計される。
【０１２１】
雄ダブテールコネクタ５８０は、重り５７０の第２の側面５８３に締結される別個のインサートの一部を形成してもよく、あるいは、雄ダブテールコネクタ５８０は、重り５７０の第２の側面５８３と一体化されうる。
【０１２２】
２つの嵌合重り５７０の雌ダブテールコネクタ５９０と雄ダブテールコネクタ５８０との間に形成されるダブテールジョイントにより、これら嵌合重りが互いに対して軸線Ｂを中心に回転するのを防止する。図１７に示すように、ダブテールジョイントは、また、取り付けられた重り５７０ａが、他方の取り付けられた重り５７０ｂに対して軸線Ａに沿って上方に移動するのを防止する。ダブテールジョイントは、取り付けられた重り５７０ａが下方に移動するのを妨げるものではなく、又は取り付けられた重り５７０ｂが上方に移動するのを妨げるものでもなく、このような平行移動は、複数の伸縮自在シャフト５４４の内の１つが重り５７０ａ及び５７０ｂに形成された開口５８２内に配置された時にのみ妨げられる。整列した開口５８２の積み重ねは、シャフト５４４がそれを通って移動できるアパーチャ５８２’を共に形成することを理解されたい。より詳細には、伸縮自在シャフト５４４が、取り付けられた重り５７０ａ及び５７０ｂに形成された開口５８２内に位置決めされると、取り付けられた重り５７０ａ及び５７０ｂが互いに離脱することが防止される。別の言い方をすれば、ダブテールジョイントは、互いに嵌合される２つの重り５７０に対して１つの自由度を提供し、一旦、伸縮自在シャフト５４４がこれらの重りの開口５８２内に配置されると、１つの自由度が排除される。
【０１２３】
次に、図１４Ａ、１４Ｇ、１８Ｆ及び１７を参照して、装置５００の動作を説明する。装置５００の動作は、装置１００の動作と同様であり、以下において、主な相違点について説明する。
【０１２４】
図１４Ａに最もよく示されるように、装置５００の組み立てられてドッキングされた状態で、複数の重り５７０は、共に収納され、基部組立体５１０上に配置される。収納された状態では、全ての重り５７０は、少なくとも部分的に図１７に示すように、相互接続され、これら重り５７０は、雄ドブコネクタ５８０と雌ドブコネクタ５９０との嵌合形状によって互いに対して回転することが防止される。
【０１２５】
装置５００のドッキングされた状態において、シェル組立体５４０は、基部組立体５１０上にドッキングされ、シェル組立体５４０上のスプリングピン５５７は、基部組立体５１０の上面上の電気接点５５９と直接的に物理的に接触するように位置決めされる。電力及び信号は、スプリングピン５５７と電気接点５５９との間を通過される。より詳細には、センサ５５２の測定値に対応する信号は、センサ５５２の測定値が基部組立体５１０の記憶装置にアップロードされるように、シェル組立体５４０のＰＣＢからスプリングピン５５７へ、電気接点５５９へ、及び、基部組立体５１０のＰＣＢ５４１へ送信される。また、電力は、基部組立体５１０のＰＣＢ５４１から、次いで、電気接点５５９に、次いで、スプリングピン５５７に、次いで、シェル組立体５４０のＰＣＢに伝送され、次いで、再充電可能バッテリを再充電するために、シェル組立体５４０の再充電可能バッテリに伝送される。再充電可能バッテリは、電力を必要とするシェル組立体５４０の任意の他の構成要素と同様に、シェル組立体５４０のセンサ５５２に電力を供給する。スプリングピン５５７と電気接点５５９との間の相互接続の結果、基部組立体５１０のＰＣＢ５４１は、シェル組立体５４０が基部組立体５１０上にドッキングされることを理解される。基部組立体５１０上の電気接点５５９が、スプリングピン５５７からの信号を受信しない場合、基部組立体５１０は、シェル組立体５４０が基部組立体５１０から取り外され、基部組立体５１０は、使用者が押し下げるボタン５２１に応答してモータ５２３を動作させないことが理解される。上述のシェル組立体５４０と基部組立体５１０の間の通信及び電気的インターフェイスは、装置１００のシェル組立体１４０及び基部組立体１１０にも適用可能である。
【０１２６】
装置５００が使用される前に、使用者は、まず、シェル組立体５４０が基部組立体５１０上にドッキングされている間に、基部組立体５１０上のいくつかのボタン５２１の内の１つを押すことによって、装置５００を使用する特定の運動ルーティングのための所望の重量を選択する。いくつかのボタン５２１の内の１つを押すことで、所望の重量がディスプレイ５１９に表示され、また、モータ５２３によって、それらの出力シャフト５２５を同じ方向に作動させて回転させる。出力シャフト５２５を回転させることで、シャフト５３１及びそれらの歯車５６１の回転を引き起こす。歯車５６１は、そのシャフトの回りを同じ方向に回転し、その結果、伸縮自在シャフト５４４が、歯車５６１と伸縮自在シャフト５４４の歯車歯５７２との間の歯の配置によって、軸線Ｂに沿って外方に（すなわち、ハンドル５４２から離れる方向に）平行移動するか、又は軸線Ｂに沿って内方に（すなわち、ハンドル５４２に向かって方向に）平行移動する。
【０１２７】
より具体的には、使用者が、以前に使用され、ディスプレイ５１９上に表示されたよりも少ない重量を使用する希望を示す「−」ボタン５２１を選択した場合、歯車５６１は、伸縮自在シャフト５４４を軸線Ｂに沿って（すなわち、ハンドル５４２に向かって）内向き及び反対方向に移動させる方向に回転する。伸縮自在シャフト５４４は、軸線Ｂに沿って離散した距離を移動し、１つ以上の重り５７０内の開口５８２から係合解除する。モータ５２３の回転によって生じるシャフト５４４の移動距離は、基部組立体５１０のＰＣＢ５４１のプロセッサによって制御される。シャフト５４４の移動距離は、ボタン５２１を使用して使用者によって選択された重量に正比例する。
【０１２８】
一旦、伸縮自在シャフト５４４が重り５７０の開口５８２から係合解除すると、シェル組立体５４０が基部組立体５１０から取り外されると、重り５７０は、シェル組立体５４０から外れるであろう。換言すれば、一旦、シェル組立体５４０が基部組立体５１０から取り外されると、重り５７０は基部組立体５１０上にドッキングされたままになる。例えば、図１７を参照すると、伸縮自在シャフト５４４が、最初に、両方の重り５７０ａ及び５７０ｂに係合され、伸縮自在シャフト５４４が、もはや重り５７０ａの開口５８２内に位置決めされないように平行移動させられる時、使用者が、シェル組立体５４０を基部組立体５１０から取り外すと、重り５７０ｂはシェル組立体５４０に取り付けられつつ、重り５７０ａは基部組立体５１０上にドッキングされたままになる。別の言い方をすれば、ダブテールジョイントは、シャフト５４４が複数の重りの内の１つの重りの開口５８２内に配置されていない時に、隣接する重りが離脱することを可能にするように構成されている。
【０１２９】
次に、使用者は、それに取り付けられた重り５７０と共にシェル組立体５４０を取り外し、運動ルーチンを実行する。一旦、基部組立体５１０の電気接点５５９がシェル組立体５４０のスプリング接点５５７から取り外されると、基部組立体５１０のプロセッサは、シェル組立体５４０が基部組立体５１０から取り外され、運動ルーチンが進行中であることを認識する。
【０１３０】
あるいは、使用者が、以前に使用され、ディスプレイ５１９上に表示されたよりも多くの重りを使用する希望を示す「＋」ボタン５２１を選択する場合、歯車５６１は、回転して、伸縮自在シャフト５４４を軸線Ｂに沿って（すなわち、ハンドル５４２から離れる方向に）外方に平行移動させる。伸縮自在シャフト５４４は、軸線Ｂに沿って離散した距離を移動させ、１つ以上の追加の重り５７０内の開口５８２と係合する。モータ５２３の回転によって生じるシャフト５４４の移動距離は、基部組立体５１０のＰＣＢ５４１のプロセッサによって制御される。シャフト５４４の移動距離は、使用者によって選択された重量に正比例する。一旦、伸縮自在シャフト５４４が、重り５７０内の開口５８２と係合すると、シェル組立体５４０が基部組立体５１０から取り外されると、その重り５７０は、シェル組立体５４０から取り外すことができない。次に、使用者は、それに取り付けられた重り５７０と共にシェル組立体５４０を取り外し、運動ルーチンを実行する。
【０１３１】
あるいは、使用者が、以前に使用され、ディスプレイ５１９上に表示されていた量から重量を変更することを望まない場合、使用者は、（それに接続されている重り５７０と共に）シェル組立体５４０を基部組立体５１０から単に取り外し、シェル組立体５４０及びそれに接続されている任意の重り５７０を使用して、運動ルーチンを開始することができる。
【０１３２】
運動ルーチンの後、使用者は、シェル組立体５４０を基部組立体５１０に戻す（すなわち、シェル組立体５４０をドッキングする）。シェル組立体５４０を基部組立体５１０に戻すと、シェル組立体５４０に取り付けられた最外重りの開口５８５は、基部組立体５１０上にドッキングされている最内重り５７０上の雄ダブテールコネクタ５８０にわたり移動する。シェル組立体５４０のさらに下方への平行移動により、シェル組立体５４０上の各シャフト５３１の下端は、基部組立体５１０の中間シャフト５２７上のそれぞれの開口５２９に係合する。次いで、スプリング接点５５７は、基部組立体５１０上の電気接点５５９と物理的に係合する。シャフト５２７の開口５２９は、シャフト５３１及びシャフト５２７が共に回転するように、シャフト５３１の下端にキー止めされる。
【０１３３】
一旦、シェル組立体５４０が基部組立体５１０上にドッキングされると、接点５５７及び５５９の相互接続によって、データは、シェル組立体５４０のＰＣＢから基部組立体５１０のＰＣＢ５４１に送信される。基部組立体５１０は、そのデータを読み取り、かつ／又は、ＰＣＢ５４１の無線送信機や無線受信機を介して、スマートフォン又はコンピュータなどの遠隔装置に送信するように構成されている。データには、運動ルーチンで使用される重りの重量、（シェル組立体５４０の加速度計によって測定される）運動ルーチンにおけるカール、繰り返し又は動きの数、及び、例えば、運動ルーチンの継続時間に関連する情報が含まれる。スマートフォン又はコンピュータには、各運動ルーチンのデータを追跡するように構成されているプログラムが含まれている。
【０１３４】
本発明の好ましい実施態様を本明細書で示し、説明したが、このような実施態様は単なる例として提供されるものであることが理解されるであろう。本発明の精神又は原理から逸脱することなく、当業者には複数の変形、変更及び置換が行われるであろう。従って、添付の請求項は、本発明の精神、範囲、又は原理に含まれるような全ての変形に及ぶことを意図している。
【図１Ａ】
2021509625.tif 000003
【図１Ｂ】
2021509625.tif 000004
【図１Ｃ】
2021509625.tif 000005
【図２Ａ】
2021509625.tif 000006
【図２Ｂ】
2021509625.tif 000007
【図３Ａ】
2021509625.tif 000008
【図３Ｂ】
2021509625.tif 000009
【図４Ａ】
2021509625.tif 000010
【図４Ｂ】
2021509625.tif 000011
【図４Ｃ】
2021509625.tif 000012
【図５Ａ】
2021509625.tif 000013
【図５Ｂ】
2021509625.tif 000014
【図６Ａ】
2021509625.tif 000015
【図６Ｂ】
2021509625.tif 000016
【図７Ａ】
2021509625.tif 000017
【図７Ｂ】
2021509625.tif 000018
【図８Ａ】
2021509625.tif 000019
【図８Ｂ】
2021509625.tif 000020
【図９Ａ】
2021509625.tif 000021
【図９Ｂ】
2021509625.tif 000022
【図１０Ａ】
2021509625.tif 000023
【図１０Ｂ】
2021509625.tif 000024
【図１１】
2021509625.tif 000025
【図１２】
2021509625.tif 000026
【図１３】
2021509625.tif 000027
【図１４Ａ】
2021509625.tif 000028
【図１４Ｂ】
2021509625.tif 000029
【図１４Ｃ】
2021509625.tif 000030
【図１４Ｄ】
2021509625.tif 000031
【図１４Ｅ】
2021509625.tif 000032
【図１４Ｆ】
2021509625.tif 000033
【図１４Ｇ】
2021509625.tif 000034
【図１５Ａ】
2021509625.tif 000035
【図１５Ｂ】
2021509625.tif 000036
【図１６Ａ】
2021509625.tif 000037
【図１６Ｂ】
2021509625.tif 000038
【図１６Ｃ】
2021509625.tif 000039
【図１６Ｄ】
2021509625.tif 000040
【図１６Ｅ】
2021509625.tif 000041
【図１６Ｆ】
2021509625.tif 000042
【図１６Ｇ】
2021509625.tif 000043
【図１７】
2021509625.tif 000044
【図１８Ａ】
2021509625.tif 000045
【図１８Ｂ】
2021509625.tif 000046
【図１８Ｃ】
2021509625.tif 000047
【図１８Ｄ】
2021509625.tif 000048
【図１８Ｅ】
2021509625.tif 000049
【図１８Ｆ】
2021509625.tif 000050
【手続補正書】
【提出日】令和3年2月5日(2021.2.5)
【手続補正１】
【補正対象書類名】明細書
【補正対象項目名】０１３４
【補正方法】変更
【補正の内容】
【０１３４】
本発明の好ましい実施態様を本明細書で示し、説明したが、このような実施態様は単なる例として提供されるものであることが理解されるであろう。本発明の精神又は原理から逸脱することなく、当業者には複数の変形、変更及び置換が行われるであろう。従って、添付の請求項は、本発明の精神、範囲、又は原理に含まれるような全ての変形に及ぶことを意図している。
また、本発明は以下の発明も含む。
本発明の第１の態様は、運動装置において、
前記運動装置は、
互いに隣接して配置されるように構成されている複数の重りと、
内部を画定するシェルを有するシェル組立体であって、前記シェル組立体は、また、前記シェルに対して移動するために連結されておりかつ前記シェルの内部の中を延びるシャフトを有し、前記シャフトの前記シェルに対する移動は、前記シャフトを前記複数の重りの内の１つ以上の重りと選択的に連結させる、シェル組立体と、
前記複数の重り及び前記シェル組立体を支持するように構成されている基部を有する基部組立体であって、前記基部組立体は、前記シェル組立体が前記基部によって支持されている時に、前記シェル組立体の前記シャフトに連結されるように構成されているドライバを有し、前記ドライバは、また、前記シェル組立体が前記基部によって支持されていない時に、前記シェル組立体の前記シャフトから切り離されるように構成されている、基部組立体とを備え、
前記基部組立体の前記ドライバは、前記シャフトを前記複数の重りの内の前記１つ以上の重りと選択的に連結させるように、前記ドライバが前記シェル組立体の前記シャフトに連結された時に、前記シェル組立体の前記シャフトを前記シェル組立体の前記シェルに対して移動させるように構成されている、運動装置である。
本発明の第２の態様は、前記複数の重りのそれぞれは開口を有し、前記複数の重りの前記開口は、前記複数の重りが互いに隣接する時に１つの軸線に沿って延びるアパーチャを少なくとも部分的に画定し、前記シェル組立体の前記シャフトは、前記複数の重りによって画定された前記アパーチャ内に位置決め可能である、第１の態様における運動装置である。
本発明の第３の態様は、前記複数の重りのそれぞれは、１つ以上の係合面を有し、前記ドライバによる前記シャフトの前記シェルに対する移動によって、前記アパーチャの前記軸線に直交する方向に沿った前記複数の重りの１つ以上の重りの移動を制限又は阻止させるように、前記シャフトに前記複数の重りの１つ以上と選択的に係合させる、第２の態様における運動装置である。
本発明の第４の態様は、前記ドライバはモータを備え、前記基部組立体は、前記運動装置の使用者からの入力に基づいて、前記シャフトを移動させるように前記モータを電気的に制御するコントローラをさらに備え、前記基部組立体は、前記運動装置の使用者からの入力に基づいて、前記ドライバに前記シャフトを回転させるように、前記ドライバに電気的又は機械的に連結された入力装置をさらに備える、第１の態様における運動装置である。
本発明の第５の態様は、運動方法において、
前記運動方法は、
複数の重りが配置された基部組立体上にシェル組立体を位置決めするステップと、
シャフトを複数の重りの内の１つ以上の重りに選択的に連結させるように、前記シャフトに連結された基部組立体のドライバを用いて前記シェル組立体の前記シャフトをシェルに対して移動させるステップと、
前記シェル組立体の前記シャフトに連結した前記複数の重りの内の１つ以上の重りと共に、前記シェル組立体を前記基部組立体から持ち上げて外すステップとを備える、運動方法である。
本発明の第６の態様は、前記複数の重りの各々は開口を有し、前記複数の重りの前記開口は、少なくとも部分的に、１つの軸線に沿って延びるアパーチャを画定し、
前記シェル組立体を位置決めするステップは、前記複数の重りによって画定される前記アパーチャ内に前記シェル組立体の前記シャフトを位置決めするステップを有する、第５の態様における運動方法である。
本発明の第７の態様は、前記複数の重りの各々は、１つ以上の係合面を有し、
前記シェル組立体の前記シャフトを位置決めするステップは、前記複数の重りの内の１つ以上の重りを前記１つ以上の重りの前記アパーチャの軸線に直角な方向への移動を阻止するように、前記シャフトが前記複数の重りのそれぞれの重りの係合面に選択的に係合するように、前記シャフトを前記シェルに対して移動させるステップを有する、第６の態様における運動方法である。
本発明の８の態様は、運動システムにおいて、
前記運動システムは複数の運動装置を備え、
前記複数の運動装置は、各々が、
互いに隣接して配置されるように構成されている複数の重りと、
前記複数の重りに対して移動するように構成されているシャフトであって、前記複数の重りに対する前記シャフトの移動によって、前記シャフトを前記複数の重りの内の１つ以上の重りと選択的に連結させる、シャフトと、
前記複数の重りを支持するように構成されている基部と、前記シャフトに連結及び切り離されるように構成されているドライバとを有する基部組立体と、
前記複数の運動装置の内の別の１つの運動装置の通信装置と無線で通信するように構成されている通信装置とを備え、
前記複数の運動装置の内の１つの運動装置の前記ドライバが、前記複数の運動装置の内の別の１つの運動装置の前記通信装置から受信したデータに基づいて、前記複数の運動装置の内の１つの運動装置の前記シャフトを移動させるように構成されている、運動システムである。
本発明の第９の態様は、前記ドライバはモータを備え、各基部組立体は、前記複数の運動装置の内の他の運動装置の通信装置から受信したデータに基づいて、前記シャフトを移動させるように前記モータを電気的に制御するコントローラをさらに備える、第８の態様における運動システムである。
本発明の第１０の態様は、前記複数の運動装置の内の１つの運動装置の前記ドライバは、前記運動システムの使用者からの入力に基づいて、前記複数の運動装置の内の１つの運動装置の前記シャフトを移動させるようにさらに構成されており、かつ、前記使用者からの前記入力を、前記複数の運動装置の内の別の１つの運動装置の前記通信装置に送信するようにさらに構成されている、第８の態様における運動システムである。
本発明の第１１の態様は、前記通信装置は、前記複数の運動装置の内の１つの運動装置の前記シャフトに連結された重りの数に対応するデータを、前記複数の運動装置の内の別の１つの運動装置に無線で通信するように構成されている、第８の態様における運動システムである。
本発明の第１２の態様は、運動装置において、
前記運動装置は、
互いに隣接して配置されるように構成されている複数の重りと、
前記複数の重りの内の１つ以上の重りと係合するように構成されているシャフトと、
前記シャフトに連結されかつ前記シャフトから切り離されるように構成されているドライバを有する基部組立体と、
前記シャフト又は前記基部組立体に関連する入力装置であって、前記複数の重りの数に対応する選択からなる、前記運動装置の使用者からの入力を受信するように構成されている、入力装置とを備え、
前記基部組立体のドライバは、前記ドライバが前記シャフトに連結された時、及び、前記複数の重りの選択された数の重りに選択的にシャフトを係合させるための入力が前記入力装置によって受信された時に、前記複数の重りに対して前記シャフトを自動的に移動させるように構成されている、運動装置である。
本発明の第１３の態様は、前記複数の重りの各々は開口を有し、前記複数の重りの前記開口は、前記複数の重りが互いに隣接する時に１つの軸線に沿って延びるアパーチャを少なくとも部分的に画定し、前記シャフトは、前記アパーチャ内に位置決め可能である、第１２の態様における運動装置である。
本発明の第１４の態様は、前記複数の重りの各々は、１つ以上の係合面を有し、前記ドライバによる前記シャフトの移動によって、前記アパーチャの前記１つの軸線に直交する方向への前記複数の重りの内の１つ以上の重りの移動を阻止又は制限するように、前記複数の重りの選択された数の重りの前記係合面のそれぞれに選択的に係合させる、第１３の態様における運動装置である。
本発明の第１５の態様は、前記シェル組立体は、前記運動装置の使用者が握ることができるように配置されたハンドル部分を更に備え、前記ハンドル部分は、前記シェル組立体の前記シェルに沿って設けられ、かつ、ハンドル軸線を画定し、前記複数の重りの各々は、前記ハンドル軸線に平行に向けられた重り軸線から半径方向外側に延びる、第１の態様における運動装置である。
本発明の第１６の態様は、前記運動装置は、前記シェル組立体が前記基部組立体によって支持されている時に前記ドライバ及び前記シェル組立体の前記シャフトに連結されている駆動シャフトをさらに備え、前記駆動シャフトは、前記駆動シャフトが前記シェル組立体の前記シャフトに連結されている時に、前記シャフトを前記シェル組立体の前記シェルに対して回転させるように構成されている、第１の態様における運動装置である。
本発明の第１７の態様は、前記駆動シャフトは、前記ドライバが前記シェル組立体の前記シャフトに連結されかつ前記シェル組立体が前記基部によって支持されている時に、前記シェル組立体の内部に延びるように配置されており、前記駆動シャフトは、前記シェル組立体の前記シャフトのシャフト軸線に対して直交する方向を向いている、第１６の態様における運動装置である。
本発明の第１８の態様は、前記運動装置が、ダンベルとバーベルからなるグループから選択される、第１の態様における運動装置である。
本発明の第１９の態様は、前記複数の重りが、前記シェル組立体の両側に配置されている複数のグループで配置され、前記シェル組立体が複数のシャフトを有し、前記複数のシャフトの各々が、前記シェルに対して移動するために連結されており、かつ、前記シェルの内部で延びており、前記シャフトの前記シェルに対する移動によって、前記複数のグループの重りの各々において、前記シャフトを１つ以上の重りと選択的に連結させ、前記シャフトの前記シェルに対する移動によって、前記複数のグループの重りの各々において、前記シャフトを等しい数の重りと選択的に連結させる、第１８の態様における運動装置である。
本発明の第２０の態様は、前記シェル組立体が、ハンドルシャフト及び複数のシェルサブ組立体を有し、前記複数のシェルサブ組立体の各々が前記ハンドルシャフトの端部に連結されている、第１９の態様における運動装置である。
本発明の第２１の態様は、前記複数のシェルサブ組立体の各々は、少なくとも部分的に内部領域を画定する、第２０の態様における運動装置である。
本発明の第２２の態様は、前記運動装置は、各々が前記複数のシェルサブ組立体の各々の前記内部領域内に少なくとも部分的に配置された、複数の駆動シャフト組立体をさらに備え、前記複数の駆動シャフト組立体の各々は、前記複数のシャフトのそれぞれの１つと係合するように配置された駆動シャフト面を有する、第２１の態様における運動装置である。
本発明の第２３の態様は、前記運動装置は複数のドライバをさらに備え、前記複数のドライバの各々が、前記シェル組立体が前記基部によって支持されている時に、前記シェル組立体の前記複数のシャフトの各々に連結されるように構成されており、前記複数の駆動シャフト組立体の各々が、前記複数のドライバのそれぞれの１つに取り外し可能に連結可能である、第２２の態様における運動装置である。
本発明の第２４の態様は、前記複数のシャフトの各々は、ギアラックを有し、前記複数の駆動シャフト組立体の各々の前記駆動シャフト面は、前記複数のシャフトのそれぞれのシャフトの前記ギアラックに係合したギアを有する、第２２の態様における運動装置である。
本発明の第２５の態様は、少なくとも２つの重りが、前記少なくとも２つの重りの１つの軸線に沿って互いに隣接して配置されて一対の重りを形成するように構成されており、前記一対の重りの第１の重りが雄面を有し、前記一対の重りの第２の重りが、前記第１の重りの前記雄面によって係合されるように構成されている雌面を有し、それによって、前記１つの軸線に沿って、前記一対の重りの前記第１の重りと前記第２の重りの互いに対する移動を制限又は排除する、第１の態様における運動装置である。
本発明の第２６の態様は、前記一対の重りの前記第１の重り及び前記第２の重りは、それぞれ、前記シャフトを前記第１の重り及び前記第２の重りと選択的に連結させるように、前記シェル組立体の前記シャフトを受け入れるように、前記１つの軸線に沿って延びているアパーチャを画定しており、前記シャフトは、前記１つの軸線に直交する方向における互いに対する前記一対の重りの前記第１の重り及び前記第２の重りの移動を制限又は排除する、第２５の態様における運動装置である。
本発明の第２７の態様は、前記シェル組立体が、前記シェル組立体の移動に対応するデータを記憶するように構成されているメモリを有する、第１の態様における運動装置である。
本発明の第２８の態様は、前記基部組立体が、前記シェル組立体の移動に対応する前記データを受信するように構成されているメモリを有する、第２７の態様における運動装置である。
本発明の第２９の態様は、前記基部組立体及び前記シェル組立体は、前記基部組立体が前記シェル組立体を支持している時に、前記シェル組立体の移動に対応するデータを共有するように構成されている、第２８の態様における運動装置である。
本発明の第３０の態様は、前記基部組立体は、前記シェル組立体の移動に対応する前記データを遠隔装置に無線送信するように構成されている、第２８の態様における運動装置である。
本発明の第３１の態様は、運動装置において、
前記運動装置は、
互いに隣接して配置されるように構成されている複数の重りと、
前記複数の重りを受け入れるような大きさの内部を画定するシェルを有するシェル組立体であって、前記シェル組立体は、また、前記シェルに対して回転するために連結されかつ前記シェルの内部に延びるシャフトを有し、前記複数の重りが前記シェルの内部に受け入れられた時、前記シャフトのシェルに対する回転によって、前記シャフトを前記複数の重りの１つ以上と選択的に連結させる、シェル組立体と、
前記複数の重り及び前記シェル組立体を支持するように構成されている基部組立体であって、前記基部組立体は、前記シェル組立体が基部によって支持されている時に、前記シェル組立体の前記シャフトに連結されるように構成されているドライバを有し、前記ドライバは、前記シェル組立体が前記基部によって支持されていない時に、前記シェル組立体の前記シャフトから切り離されるように構成されており、前記基部組立体の前記ドライバは、前記シャフトを複数の重りの内の１つ以上の重りと選択的に連結させるように前記ドライバが前記シェル組立体の前記シャフトに連結された時に、前記シェル組立体の前記シャフトを前記シェル組立体の前記シェルに対して回転させるように構成されている、基部組立体とを備える、運動装置である。
本発明の第３２の態様は、前記基部は、前記複数の重りを積み重ねた向きで支持するように構成されている第１の表面と、前記シェル組立体の前記シェルの下面を支持するように構成されている、前記第１の表面を取り囲む第２の表面とを備える、第３１の態様における運動装置である。
本発明の第３３の態様は、前記複数の重りのそれぞれは、開口を有し、前記複数の重りの前記開口は、前記複数の重りが互いに隣接する時に１つの軸線に沿って延びるアパーチャを少なくとも部分的に画定する、第３１の態様における運動装置である。
本発明の第３４の態様は、前記シェル組立体の前記シャフトは、前記複数の重りによって画定される前記アパーチャ内に位置決め可能である、第３３の態様における運動装置である。
本発明の第３５の態様は、前記複数の重りのそれぞれは、それぞれの開口内に延びる１つ以上のレッジを有する、第３４の態様における運動装置である。
本発明の第３６の態様は、前記シャフトは、複数の突出部を有し、前記ドライバによる前記シャフトの前記シェルに対する回転により、前記複数の重りの内の１つ以上の重りの前記アパーチャの前記軸線に沿った移動を防止するように、前記シャフトの前記複数の突出部の内の１つ以上の突出部を、前記複数の重りの内の１つ以上の重りの１つ以上のレッジのそれぞれに選択的に係合する、第３５の態様における運動装置である。
本発明の第３７の態様は、前記シェル組立体が、前記シェルに連結されかつ前記運動装置の使用者に握られるように配置されたハンドルを更に備え、前記ハンドルが前記シャフトに対して直交する方向を向いている、第３１の態様における運動装置である。
本発明の第３８の態様は、前記ドライバはモータを備え、前記基部組立体は、前記運動装置の使用者からの入力に基づいて、前記シャフトを回転させるように前記モータを電気的に制御してコントローラをさらに備える、第３１の態様における運動装置である。
本発明の第３９の態様は、前記基部組立体が、前記運動装置の使用者からの入力に基づいて、前記ドライバに前記シャフトを回転させるように前記ドライバに電気的又は機械的に連結されている入力装置をさらに備える、第３１の態様における運動装置である。
本発明の第４０の態様は、前記基部組立体のドライバから前記シェル組立体の前記シャフトを切り離すことにより、前記シェルに対する前記シャフトの回転を防止し、それにより、前記複数の重りの内の１つ以上の重りが前記運動装置の前記シャフトから切り離されるのを防止する、第３１の態様における運動装置である。
本発明の第４１の態様は、運動方法において、
前記運動方法は、
複数の重りがシェル組立体のシェルの内部に受け入れられるように、その上に位置決めされた前記複数の重りを有する基部組立体上にシェル組立体を位置決めするステップと、
シャフトに連結された基部組立体のドライバを用いて前記シェルに対して前記シェル組立体のシャフトを回転させてシャフトを複数の重りの内の１つ以上の重りと選択的に連結させるステップと、
前記シェル組立体の前記シャフトに連結された複数の重りの内の１つ以上の重りと、前記シェルの内部の前記複数の重りの内の１つ以上の重りと共に、前記シェル組立体を前記基部組立体から持ち上げて外すステップとを備える、運動方法である。
本発明の第４２の態様は、前記複数の重りの各々は開口を有し、前記複数の重りの前記開口は、前記複数の重りが積み重ねられた向きにある時に１つの軸線に沿って延びるアパーチャを少なくとも部分的に画定し、前記シェル組立体を位置決めするステップは、前記複数の重りによって画定される前記アパーチャ内に前記シェル組立体の前記シャフトを位置決めするステップを有する、第４１の態様における運動方法である。
本発明の第４３の態様は、前記複数の重りの各々が、そのそれぞれの開口に延びる１つ以上のレッジを有し、前記シャフトが複数の突出部を有し、
前記回転させるステップが、前記アパーチャの前記軸線に沿った複数の重りの１つ以上の重りの移動を防止するように、前記シャフトの前記複数の突出部の１つ以上の突出部を、前記複数の重りの１つ以上の重りの１以上のレッジのそれぞれのレッジと選択的に連結させるように、前記シャフトを前記シェルに対して回転させるステップを有する、第４２の態様における運動方法である。
本発明の第４４の態様は、前記シェル組立体が、前記シェルに連結されたハンドルをさらに備え、前記シェル組立体を前記基部組立体から持ち上げて外すステップが、前記シェル組立体の前記ハンドルを握るステップを有する、第４１の態様における運動方法である。
本発明の第４５の態様は、前記ドライバはモータを備え、前記基部組立体は、前記モータを電気的に制御するコントローラをさらに備え、前記シェルに対して前記シェル組立体のシャフトを回転させるステップは、前記シャフトを回転させるように前記モータを制御するように入力を前記コントローラに提供するステップを備える、第４１の態様における運動方法である。
本発明の第４６の態様は、前記基部組立体が、前記ドライバに電気的又は機械的に連結された入力装置をさらに備え、前記シェルに対して前記シェル組立体のシャフトを回転させるステップは、前記入力装置を用いて入力を受信するステップと、受信した前記入力に基づいて前記ドライバに前記シャフトを回転させるステップとを有する、第４１の態様における運動方法である。
本発明の第４７の態様は、前記運動方法は、前記シェル組立体が前記基部組立体から持ち上げられて外された時に、前記複数の重りの内の１つ以上の重りが運動装置の前記シャフトから切り離されるのを防止するステップをさらに備える、第４１の態様における運動方法である。
本発明の第４８の態様は、運動システムにおいて、
前記運動システムは複数の運動装置を備え、
前記複数の運動装置の各々は、
互いに隣接して配置されるように構成されている複数の重りと、
前記複数の重りに対して回転するように構成されているシャフトであって、前記複数の重りに対する前記シャフトの回転によって、前記シャフトを前記複数の重りの内の１つ以上の重りと選択的に連結させる、シャフトと、
前記複数の重りを支持するように構成されている基部を有する基部組立体と、
前記シャフトに連結されかつ前記シャフトから切り離されるように構成されているドライバと、
前記複数の運動装置の内の別の１つの運動装置の通信装置と無線で通信するように構成されている通信装置とを有し、前記複数の運動装置の内の１つの運動装置の前記ドライバは、前記複数の運動装置の内の別の１つの運動装置の通信装置から受信したデータに基づいて、前記複数の運動装置の内の１つの運動装置の前記シャフトを回転させるように構成されている、運動システムである。
本発明の第４９の態様は、前記ドライバはモータを備え、各基部組立体は、前記複数の運動装置の内の他方の通信装置から受信したデータに基づいて、前記シャフトを回転させるように前記モータを電気的に制御するコントローラをさらに備える、第４８の態様における運運動システムである。
本発明の第５０の態様は、前記複数の運動装置の内の前記１つの運動装置の前記ドライバは、前記運動システムの使用者からの入力に基づいて、前記複数の運動装置の内の前記１つの運動装置の前記シャフトを回転させるようにさらに構成されており、かつ、前記複数の運動装置の内の別の１つの運動装置の通信装置に、前記使用者からの前記入力を送信するようにさらに構成されている、第４８の態様における運動システムである。
本発明の第５１の態様は、前記通信装置は、前記複数の運動装置の内の１つの運動装置の前記シャフトに連結された前記重りの数を、前記複数の運動装置の内の別の１つの運動装置に無線で通信するように構成されている、第４８の態様における運動システムである。
本発明の第５２の態様は、運動装置において、
前記運動装置は、
互いに隣接して配置されるように構成されている複数の重りと、
前記複数の重りの内の１つ以上の重りと係合するように構成されているシャフトと、
前記シャフトに連結されかつ前記シャフトから切り離されるように構成されているドライバを有する基部組立体と、
前記シャフト又は前記基部組立体に関連する入力装置であって、前記複数の重りの数の選択からなる、前記運動装置の使用者からの入力を受信するように構成された入力装置とを備え、
前記基部組立体のドライバは、前記ドライバが前記シャフトに連結された時、及び、前記複数の重りの選択された数の重りに選択的に前記シャフトを係合させるための入力が前記入力装置によって受信された時に、前記複数の重りに対して前記シャフトを自動的に移動させるように構成されている、運動装置である。
本発明の第５３の態様は、前記基部組立体が、積み重ねられた向きで前記複数の重りを支持するように構成されている基部をさらに備える、第５２の態様における運動装置である。
本発明の第５４の態様は、前記複数の重りの各々は開口を有し、前記複数の重りの前記開口は、前記複数の重りが互いに隣接する時に１つの軸線に沿って延びるアパーチャを少なくとも部分的に画定し、前記シャフトは前記アパーチャ内に位置決め可能である、第５２の態様における運動装置である。
本発明の第５５の態様は、前記複数の重りの各々は、それぞれの開口内に延びる１つ以上のレッジを有する、第５４の態様における運動装置である。
本発明の第５６の態様は、前記シャフトは、複数の突出部を有し、前記ドライバによる前記シャフトの移動により、前記複数の重りの内の前記１つ以上の重りが前記アパーチャの前記軸線に沿って移動するのを防止するように、前記シャフトの前記複数の突出部の内の１つ以上の突出部が、前記複数の重りの選択された数の重りの前記１つ以上のレッジのそれぞれのレッジに選択的に係合する、第５５の態様における運動装置である。
本発明の第５７の態様は、前記シャフトは、前記シャフトに対して直交する方向を向いたハンドルに連結されている、第５２の態様における運動装置である。
本発明の第５８の態様は、前記ドライバはモータを備え、前記基部組立体は、前記運動装置の使用者からの前記入力に基づいて、前記シャフトを回転させるように前記モータを電気的に制御するコントローラをさらに備える、第５２の態様における運動装置である。
本発明の第５９の態様は、前記運動装置は、前記複数の重りの前記選択された数を表示するように構成されているディスプレイをさらに備える、第５２の態様における運動装置である。
本発明の第６０の態様は、前記運動装置は、基部又は前記シャフトに関連するセンサをさらに備え、前記センサは、前記ドライバが前記シャフトに連結されている時、又は、前記ドライバが前記シャフトから切り離されている時を検出するように構成されている、第５２の態様における運動装置である。
【手続補正２】
【補正対象書類名】特許請求の範囲
【補正対象項目名】全文
【補正方法】変更
【補正の内容】
【特許請求の範囲】
【請求項１】
ケトルベル運動装置において、
前記ケトルベル運動装置は、
互いに隣接して配置されるように構成されている複数の重りと、
前記複数の重りを受け入れるような大きさの内部を画定するシェルを有するシェル組立体であって、前記シェル組立体は、また、前記シェルに対して回転するために連結されかつ前記シェルの内部に延びるシャフトを有し、前記複数の重りが前記シェルの内部に受け入れられた時、前記シャフトのシェルに対する回転によって、前記シャフトを前記複数の重りの１つ以上と選択的に連結させる、シェル組立体と、
前記シェルに連結されかつ前記ケトルベル運動装置の使用者に握られるように配置されたハンドルであって、前記シャフトに対して直交する方向を向いているハンドルと、
前記複数の重りを支持するように構成されている基部であって、前記シャフトは、前記基部によって連結されるように構成されており、かつ、前記シャフトが前記基部に連結されている時に前記シャフトを前記複数の重りの内の前記１つ以上の重りと選択的に連結させるように前記シェル組立体の前記シェルに対して回転するように構成されている、基部とを備え、
前記基部から前記シェル組立体の前記シャフトを切り離すことにより、前記シェルに対する前記シャフトの回転を防止し、それにより、前記複数の重りの内の前記１つ以上の重りが前記ケトルベル運動装置の前記シェル組立体の前記シャフトから切り離されるのを防止する、ケトルベル運動装置。
【請求項２】
前記複数の重りの内の少なくとも２つは、開口を有し、前記複数の重りの内の少なくとも２つの重りの前記開口は、前記複数の重りの内の少なくとも２つが互いに隣接する時に１つの軸線に沿って延びるアパーチャを少なくとも部分的に画定する、請求項１に記載のケトルベル運動装置。
【請求項３】
前記シェル組立体の前記シャフトは、前記複数の重りの内の少なくとも２つによって画定される前記アパーチャ内に位置決め可能である、請求項２に記載のケトルベル運動装置。
【請求項４】
前記複数の重りの内の少なくとも２つのそれぞれは、それぞれの開口内に延びる１つ以上のレッジを有する、請求項３に記載のケトルベル運動装置。
【請求項５】
前記シャフトは、複数の突出部を有し、前記シャフトの前記シェルに対する回転により、前記複数の重りの内の１つ以上の重りの前記アパーチャの前記軸線に沿った移動を防止するように、前記シャフトの前記複数の突出部の内の１つ以上の突出部を、前記１つ以上のレッジのそれぞれに選択的に係合する、請求項４に記載のケトルベル運動装置。
【請求項６】
前記基部は、前記複数の重りを積み重ねた向きで支持するように構成されている第１の表面と、前記シェル組立体の前記シェルの下面を支持するように構成されている、前記第１の表面を取り囲む第２の表面とを備える、請求項１に記載のケトルベル運動装置。
【請求項７】
前記第２の表面は、前記第１の表面のレベルとは異なるレベルにおいて設けられている、請求項６に記載のケトルベル運動装置。
【請求項８】
前記ケトルベル運動装置は、前記シャフトを前記複数の重りの内の前記１つ以上の重りと選択的に連結させるように、前記シャフトを前記シェル組立体の前記シェルに対して回転させるように構成されているドライバをさらに備える、請求項１に記載のケトルベル運動装置。
【請求項９】
前記ドライバはモータを備える、請求項８に記載のケトルベル運動装置。
【請求項１０】
前記ケトルベル運動装置は、前記ケトルベル運動装置の使用者からの入力に基づいて、前記シャフトを回転させるように機械的に連結された入力装置をさらに備える、請求項１に記載のケトルベル運動装置。
【請求項１１】
前記入力装置は、前記ケトルベル運動装置の使用者によって直接的に操作させられるように適合されたダイヤルを備える、請求項１０に記載のケトルベル運動装置。
【請求項１２】
前記シェルは、前記シェルの内部で前記複数の重りの回転を防止する１つ以上の隆起部を前記シェルの内部において備える、請求項１に記載のケトルベル運動装置。
【請求項１３】
前記ハンドルは、前記シャフトが前記シェルと連結する位置と対向する前記シェルの位置において設けられている、請求項１に記載のケトルベル運動装置。
【請求項１４】
ケトルベル運動方法において、
前記ケトルベル運動方法は、
複数の重りが基部上にあり、前記複数の重りがシェル組立体のシェルの内部に受け入れられ、前記シェル組立体のシャフトが前記基部に連結されるように、シェル組立体を位置決めするステップと、
前記シェル組立体のシャフトを前記シェルに対して回転させて前記シャフトを前記複数の重りの内の１つ以上の重りと選択的に連結させるステップと、
前記シェルに連結されておりかつ前記シャフトに対して直交する方向を向いているハンドルを用いて、前記シェル組立体の前記シャフトに連結された複数の重りの内の１つ以上の重りと、前記シェルの内部の前記複数の重りの内の１つ以上の重りと共に、前記シェル組立体を前記基部から持ち上げて外すステップであって、前記持ち上げの際に、前記シェル組立体の前記シャフトを前記基部から切り離すことにより、前記シャフトが前記シェル組立体の前記シェルに対して回転するのを防止する、ステップとを備える、ケトルベル運動方法。
【請求項１５】
前記複数の重りの内の少なくとも２つは開口を有し、前記複数の重りの前記開口は、前記複数の重りが積み重ねられた向きにある時に１つの軸線に沿って延びるアパーチャを少なくとも部分的に画定し、前記シェル組立体を位置決めするステップは、前記複数の重りの内の少なくとも２つによって画定される前記アパーチャ内に前記シェル組立体の前記シャフトを位置決めするステップを有する、請求項１４に記載のケトルベル運動方法。
【請求項１６】
前記複数の重りの内の少なくとも２つの各々が、そのそれぞれの開口に延びる１つ以上のレッジを有し、前記シャフトが複数の突出部を有し、
前記回転させるステップが、前記アパーチャの前記軸線に沿った複数の重りの１つ以上の重りの移動を防止するように、前記シャフトの前記複数の突出部の１つ以上の突出部を、前記１つ以上のレッジのそれぞれのレッジと選択的に連結させるように、前記シャフトを前記シェルに対して回転させるステップを有する、請求項１５に記載のケトルベル運動方法。
【請求項１７】
ドライバを更に備え、前記回転させるステップが、前記シャフトを前記ドライバによって回転させるステップを有する、請求項１４に記載のケトルベル運動方法。
【請求項１８】
前記ドライバはモータを備える、請求項１７に記載のケトルベル運動方法。
【請求項１９】
入力装置をさらに備え、前記回転させるステップは、前記シャフトを回転させるように前記入力装置を操作するステップを有する、請求項１４に記載のケトルベル運動方法。
【請求項２０】
前記入力装置は、前記シェル組立体に設けられているダイヤルを備え、前記入力装置を操作するステップは、前記シャフトを回転させるように前記ダイヤルを回転させるステップを有する、請求項１９に記載のケトルベル運動方法。
【請求項２１】
前記位置決めするステップは、前記複数の重りが前記基部の第１の表面上に支持され、かつ、前記シェルの下面が前記第１の表面を取り囲む前記基部の第２の表面上に支持されるように、前記シェル組立体を前記基部上に位置決めするステップを有する、請求項１４に記載のケトルベル運動方法。
【請求項２２】
前記方法は、前記シェル組立体の前記シャフトに連結された前記複数の重りの内の前記１つ以上の重りの重量を前記シェル上において表示するステップをさらに備える、請求項１４に記載のケトルベル運動方法。
【請求項２３】
ケトルベル運動装置において、
前記ケトルベル運動装置は、
互いに隣接して配置されるように構成されている複数の重りであって、前記複数の重りの内の少なくとも２つは開口を有し、前記複数の重りの内の少なくとも２つの重りの前記開口は、前記複数の重りの内の少なくとも２つが互いに隣接する時に１つの軸線に沿って延びるアパーチャを少なくとも部分的に画定する、複数の重りと、
前記複数の重りを受け入れるような大きさの内部を画定するシェルを有するシェル組立体であって、前記シェル組立体は、前記複数の重りの少なくとも２つによって画定される前記アパーチャ内に位置決め可能でありかつ前記シェルに対して回転するために連結されかつ前記シェルの内部に延びるシャフトを有し、前記複数の重りが前記シェルの内部に受け入れられた時、前記シャフトの前記シェルに対する回転によって、前記シャフトを前記複数の重りの内の１つ以上の重りと選択的に連結させる、シェル組立体と、
前記シェルに連結されかつ前記ケトルベル運動装置の使用者に握られるように配置されたハンドルであって、前記シャフトに対して直交する方向を向いているハンドルと、
前記ケトルベル運動装置の使用者によって直接的に操作させられるように適合されたダイヤルであって、前記ケトルベル運動装置の使用者からの前記ダイヤルの操作に基づいて、前記シャフトを回転させるように機械的に連結されたダイヤルと、
前記シェルの内部において前記複数の重りを支持するように構成されている基部であって、前記シャフトは、前記基部に連結されるように構成されており、かつ、前記シャフトが前記基部に連結されている時に前記シャフトを前記複数の重りの内の前記１つ以上の重りと選択的に連結させるように前記シェル組立体の前記シェルに対して回転するように構成されている、基部とを備え、
前記基部から前記シェル組立体の前記シャフトを切り離すことにより、前記シャフトが前記シェルに対して回転するのを防止し、それにより、前記複数の重りの内の前記１つ以上の重りが前記ケトルベル運動装置の前記シャフトから切り離されるのを防止する、ケトルベル運動装置。
【請求項２４】
前記基部は、前記複数の重りを積み重ねた向きで支持するように構成されている第１の表面と、前記シェル組立体の前記シェルの下面を支持するように構成されている、前記第１の表面を取り囲む第２の表面とを備え、前記第２の表面は、前記第１の表面のレベルとは異なるレベルにおいて設けられている、請求項２３に記載のケトルベル運動装置。
【請求項２５】
前記シェルは、前記シェルの内部で前記複数の重りの回転を防止する１つ以上の隆起部を前記シェルの内部において備える、請求項２３に記載のケトルベル運動装置。
【請求項２６】
ケトルベル運動方法において、
前記ケトルベル運動方法は、
複数の重りが基部上にあり、前記複数の重りがシェル組立体のシェルの内部に受け入れられ、前記シェル組立体のシャフトが前記基部に連結されかつ前記複数の重りの内の少なくとも２つによって画定されるアパーチャ内に位置決めされるように、シェル組立体を位置決めするステップと、
ダイヤルを回転させて前記シェル組立体のシャフトを前記シェルに対して回転させて前記シャフトを前記複数の重りの内の１つ以上の重りと選択的に連結させるステップと、
前記シェルに連結されておりかつ前記シャフトに対して直交する方向を向いているハンドルを用いて、前記シェル組立体の前記シャフトに連結された複数の重りの内の１つ以上の重りと、前記シェルの内部の前記複数の重りの内の１つ以上の重りと共に、前記シェル組立体を前記基部から持ち上げて外すステップであって、前記持ち上げの際に、前記シェル組立体の前記シャフトを前記基部から切り離すことにより、前記シャフトが前記シェルに対して回転するのを防止する、ステップとを備える、ケトルベル運動方法。
【請求項２７】
前記方法は、前記シェル組立体の前記シャフトに連結された前記複数の重りの内の前記１つ以上の重りの重量を前記シェル上において表示するステップを備える、請求項２６に記載のケトルベル運動方法。
【国際調査報告】
2021509625.tif 000051
2021509625.tif 000052
2021509625.tif 000053
2021509625.tif 000054
2021509625.tif 000055